(57)【要約】  本発明は、異なる無線アクセス技術で動作する少なくとも第１および第２の無線アクセスを介して端末装置に無線アクセスを提供する無線通信ネットワークにおける同時マルチＲＡＴキャンプインの調整に関する。ネットワークノードにより、第１のＲＡＴに関連付けられた第１のキャンプエリアのセットと第２のＲＡＴに関連付けられた第２のキャンプエリアのセットを含むキャンプエリア（ＣＡ）のセットに関する指標を送信し、端末デバイスにより、ＣＡのセットに基づいて定義されたカバレッジエリアにおいてキャンプすることを実行し、端末デバイスにより、（ａ）第１のメカニズムとして、第１および第２のＣＡのセットの両方により定義されるカバレッジエリアと異なる新しいカバレッジエリアへ端末デバイスが入るとき、（ｂ）第２のメカニズムとして、第１および第２のＣＡのセットのうちの１つにより定義されるカバレッジエリアと異なる新しいカバレッジエリアへ端末デバイスが入るときに、端末デバイスの地理的位置で通信ネットワークを更新することにより、改良されたマルチＲＡＴキャンプが達成される。【選択図】図１０
2019527965.tif 000002
【特許請求の範囲】
【請求項１】
異なる無線アクセス技術（ＲＡＴ）で動作する少なくとも第１と第２のタイプの無線アクセスを介して無線デバイス（１０）に対する無線アクセスを提供する無線通信ネットワークにおける方法であって、前記方法は、
少なくとも１つのネットワークノード（５０、３０１、３０２）により、前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を送信すること（Ｓ１１０）と、
前記端末デバイス（１０）により、前記ＣＡのセット（ＣＡ−ＲＡＴ１、ＣＡ−ＲＡＴ２）に基づいて定義されるカバレッジエリアにおいてキャンプを実行すること（Ｓ１２０）と、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイス（１０）により、前記端末デバイス（１０）の地理的位置で前記通信ネットワークを更新すること（Ｓ１３０）を含む、方法。
【請求項２】
請求項１に記載の無線通信ネットワークにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記端末デバイスの地理的位置で前記通信ネットワークを更新すること（Ｓ１３０）は、第３のメカニズムとして、 
ｃ）前記端末デバイス（１０）が、前記第１のキャンプエリアのセット（ＣＡ−ＲＡＴ１）により定義されるカバレッジエリアと異なる新しいカバレッジエリアに入るときに実行され、かつ、
ｄ）前記端末デバイスが、前記第２のキャンプエリアのセット（ＣＡ−ＲＡＴ２）により定義されたカバレッジエリアを離れるが、前記第１のキャンプエリアのセット（ＣＡ−ＲＡＴ１）により定義されたカバレッジエリアに留まるときに実行されない、方法。
【請求項３】
請求項１または２に記載の無線通信ネットワークにおける方法であって、前記指標は、前記第１のキャンプエリアのセット（ＣＡ−ＲＡＴ１）の１つ以上のＣＡを示す、および／または、前記第２のキャンプエリアのセット（ＣＡ−ＲＡＴ２）の１つ以上のＣＡを示すリストまたはリストのセットを含む、方法。 
【請求項４】
請求項１から３のいずれか１項に記載の無線通信ネットワークにおける方法であって、前記端末デバイス（１０）の地理的位置で前記通信ネットワークを更新すること（Ｓ１３０）は、前記第１のＲＡＴおよび／または前記第２のＲＡＴに対する更新である、方法。
【請求項５】
請求項１から４のいずれか１項に記載の無線通信ネットワークにおける方法であって、前記更新に応答して、前記ネットワークノード（５０、３０１、３０２）は、新しい第１のキャンプエリアのセット（ＣＡ−ＲＡＴ１）および／または新しい第２のキャンプエリアのセット（ＣＡ−ＲＡＴ２）を割り当てる（Ｓ１４０）、方法。
【請求項６】
請求項１から５のいずれか１項に記載の無線通信ネットワークにおける方法であって、前記端末デバイス（１０）が前記第１と第２のＲＡＴのうちの一方、特に請求項２に記載の前記優先ＲＡＴのカバレッジを失うときに、
前記第１と前記第２のＲＡＴのうちの他方、特に請求項２に記載の前記バックアップＲＡＴを用いて、ＲＡＴカバレッジの損失を前記通信ノード（５０、３０１、３０２）に報告すること（Ｓ１５０）、または、
前記第１と前記第２のＲＡＴのうちの他方にキャンプすることを継続すること（Ｓ１５５）を更に含む、方法。
【請求項７】
請求項１から６のいずれか１項に記載の無線通信ネットワークにおける方法であって、前記指標に含まれる各ＣＡに優先度指標が提供され、前記優先度は前記端末デバイスが前記ネットワークにアクセスするために選択すべき好ましいＣＡを示し、および／または、前記優先度は前記端末デバイスが前記ネットワークにアクセスするために選択すべき好ましいＲＡＴを示す、方法。
【請求項８】
請求項７に記載の無線通信ネットワークにおける方法であって、前記ＣＡ優先度指標は、ＲＡＴ選好度指標に置き換えら得る、方法。
【請求項９】
請求項１から８のいずれか１項に記載の無線通信ネットワークにおける方法であって、
前記ネットワークノード（５０、３０１、３０２）により、前記端末デバイス（１０）が前記第１と第２のＲＡＴの両方においてページされるか、前記端末デバイスが前記第１と第２のＲＡＴのうちの一方においてページされるかを選択すること（Ｓ１７０）を更に含む、方法。
【請求項１０】
請求項１から９のいずれか１項に記載の無線通信ネットワークにおける方法であって、
前記端末デバイス（１０）により、ページングに対する応答として、および／または前記第１と第２のＲＡＴのうちの一方、特に請求項２に記載の優先ＲＡＴ、または第１と第２のＲＡＴの両方における端末デバイス開始アクセスとして、前記通信ネットワークへアクセスすること（Ｓ１８０）を更に含む、方法。 
【請求項１１】
請求項１から１０のいずれか１項に記載の無線通信ネットワークにおける方法であって、前記端末デバイスに、前記第１、第２、または第３のメカニズムを適用するように前記端末デバイスを構成する前記ネットワークノードから制御命令が提供される、方法。 
【請求項１２】
請求項１１に記載の無線通信ネットワークにおける方法であって、前記制御命令は、  ‐端末デバイスのタイプ、
‐端末デバイスの能力、
‐サービスのタイプ、
‐端末デバイスが属し得る通信ネットワークスライスインスタンス、
‐デュアルコネクティビティおよび／またはキャリアアグリゲーションといったマルチコネクティビティの確立の必要性、
‐端末デバイスのバッテリ条件
‐第１と第２のＲＡＴのカバレッジパターン、重複するカバレッジエリア、および重複するカバレッジエリアの安定性、のうちの少なくとも１つに基づく、方法。
【請求項１３】
異なる無線アクセス技術（ＲＡＴ）で動作する少なくとも第１と第２のタイプの無線アクセスを介してチャネルを監視することが可能な端末デバイスにおける方法であって、前記方法は、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を受信することと、
前記ＣＡのセット（ＣＡ−ＲＡＴ１、ＣＡ−ＲＡＴ２）に基づいて定義されるカバレッジエリアにおいてキャンプを実行することと、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイスの地理的位置で前記通信ネットワークを更新することを含む、方法。
【請求項１４】
請求項１３に記載の端末デバイスにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記端末デバイスの地理的位置で前記通信ネットワークを更新することは、第３のメカニズムとして、 
ｃ）前記端末デバイスが、前記第１のキャンプエリアのセット（ＣＡ−ＲＡＴ１）により定義されるカバレッジエリアと異なる新しいカバレッジエリアに入るときに実行され、かつ、
ｄ）前記端末デバイスが前記第２のキャンプエリアのセット（ＣＡ−ＲＡＴ２）により定義されたカバレッジエリアを離れるが、前記第１のキャンプエリアのセット（ＣＡ−ＲＡＴ１）により定義されたカバレッジエリアに留まるときに実行されない、方法。
【請求項１５】
請求項１３または１４に記載の通信デバイスにおける方法であって、前記端末デバイスの地理的位置で前記通信ネットワークを更新することは、前記第１のＲＡＴおよび／または前記第２のＲＡＴに対する更新である、方法。 
【請求項１６】
請求項１３から１５のいずれか１項に記載の端末デバイスにおける方法であって、前記端末デバイスが前記第１と第２のＲＡＴのうちの一方、特に請求項１４に記載の前記優先ＲＡＴのカバレッジを失うときに、
前記第１と前記第２のＲＡＴのうちの他方、特に請求項１４に記載の前記バックアップＲＡＴを用いて、ＲＡＴカバレッジの損失を前記通信ノードに報告すること、または、
前記第１と前記第２のＲＡＴのうちの他方にキャンプすることを継続することを更に含む、方法。
【請求項１７】
請求項１３から１６のいずれか１項に記載の端末デバイスにおけ方法であって、前記指標に含まれる各ＣＡに優先度指標が提供され、前記優先度は前記端末デバイスが前記ネットワークにアクセスするために選択すべき好ましいＣＡを示し、および／または前記優先度は前記端末デバイスが前記ネットワークにアクセスするために選択すべき好ましいＲＡＴを示す、方法。
【請求項１８】
請求項１７に記載の、端末デバイスにおける方法であって、前記ＣＡ優先度指標は、ＲＡＴ選好度指標に置き換えられ得る、方法。
【請求項１９】
請求項１３から１８のいずれか１項に記載の端末デバイスにおける方法であって、
前記第１と第２のＲＡＴの両方、または、前記第１と第２のＲＡＴのうちの一方におけるページングチャネルを監視することを更に含む、方法。
【請求項２０】
請求項１３から１９のいずれか１項に記載の端末デバイスにおける方法であって、
ページングに対する応答として、および／または前記第１と第２のＲＡＴのうちの一方、、特に請求項１４に記載の優先ＲＡＴ、または第１と第２のＲＡＴの両方における端末デバイス開始アクセスとして前記通信ネットワークへアクセスすることを更に含む、方法。 
【請求項２１】
請求項１３から２０のいずれか１項に記載の端末デバイスにおける方法であって、前記第１、第２、または第３のメカニズムを適用するように前記端末デバイスを構成する制御命令を受信することを更に含む、方法。 
【請求項２２】
異なる無線アクセス技術（ＲＡＴ）で動作する少なくとも第１および／または第２のタイプの無線アクセスを介して１つ以上のチャネルを提供するネットワークノードにおける方法であって、前記方法は、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を、端末デバイスへ送信することと、
ａ）前記端末デバイスが、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るときに、前記端末デバイスの地理的位置を更新する、または、
ｂ）前記端末デバイスが、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、前記端末デバイスの地理的位置を更新する、
ために、ＣＡ更新メカニズムを適用するように前記端末デバイスを構成するための制御命令を送信することを含む、方法。 
【請求項２３】
請求項２２に記載のネットワークノードにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記制御命令は、 
ｃ）前記端末デバイスが、前記第１のキャンプエリアのセット（ＣＡ−ＲＡＴ１）により定義されるカバレッジエリアと異なる新しいカバレッジエリアに入るときに、前記端末デバイスの地理的位置を更新し、
ｄ）前記端末デバイスが、前記第２のキャンプエリアのセット（ＣＡ−ＲＡＴ２）により定義された前記カバレッジエリアを離れるが、前記第１のキャンプエリアのセット（ＣＡ−ＲＡＴ１）により定義されたカバレッジエリアに留まるときに、前記端末デバイスの地理的位置を更新しないために、
第３のＣＡ更新メカニズムを適用するように更に前記端末デバイスを構成する、方法。
【請求項２４】
請求項２２または２３に記載のネットワークノードにおける方法であって、前記更新に応じて、前記ネットワークノードは、新しい第１のキャンプエリアのセット（ＣＡ−ＲＡＴ１）および／または新しい第２のキャンプエリアのセット（ＣＡ−ＲＡＴ２）を割り当てる、方法。
【請求項２５】
請求項２２から２４のいずれか１項に記載のネットワークノードにおける方法であって、
前記端末デバイスが前記第１と第２のＲＡＴの両方においてページされるか、前記端末デバイスが前記第１と第２のＲＡＴのうちの一方においてページされるかを選択することを更に含む、方法。
【請求項２６】
請求項１３から２１のいずれか１項に記載の方法を実行するように構成された端末デバイス（１０）。
【請求項２７】
プロセッサ（１２）、無線送受信器（１４）、およびメモリ（１６）を有し、前記メモリ（１６）はプロセッサ（１２）によって実行可能な命令を含み、それにより前記端末デバイス（１０）が請求項１３から２０のいずれか１項に記載の方法を実行するように動作する、端末デバイス（１０）。
【請求項２８】
異なる無線アクセス技術で動作する少なくとも第１および第２のタイプの無線アクセスを介してアクセス可能な端末デバイス（１０）であって。
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を受信するように構成された無線受信器モジュール（１４）と、
ＣＡの前記セット（ＣＡ−ＲＡＴ１、ＣＡ−ＲＡＴ２）に基づいて定義されるカバレッジエリアにおいてキャンプを実行し、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイスの地理的位置で前記通信ネットワークを更新するように前記無線受信器モジュール（１４）を制御するように構成された処理モジュール（１２）を含む、端末デバイス。
【請求項２９】
請求項２２から２５のいずれか１項に記載の方法を実行するように構成されたネットワークノード（５０、３０１、３０２）。
【請求項３０】
送受信器（５２、３２１、３２２）、プロセッサ（５４、３４１、３４２）、およびメモリ（５６、３６１、３６２）を含むネットワークノード（５０、３０１、３０２）であって、前記メモリ（５６、３６１、３６２）は前記プロセッサ（５４、３４１、３４２）により実行可能な命令を含み、 これにより、前記ネットワークノード（５０、３０１、３０２）が、請求項２２から２５のいずれか１項に記載の方法を実行するように動作可能である、ネットワークノード。
【請求項３１】
異なる無線アクセス技術（ＲＡＴ）で動作する少なくとも第１と第２のタイプの無線アクセスを介して無線デバイス（１０）に対する無線アクセスを提供する、無線通信ネットワークにおけるネットワークノード（５０、３０１、３０２）であって、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を、端末デバイス（１０）に送信するように構成された送受信器モジュール（３２１、３２２、５２）と、
ａ）前記端末デバイスが、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るときに、前記端末デバイスの地理的位置を更新する、または、
ｂ）前記端末デバイスが、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、前記端末デバイスの地理的位置を更新する、
ためにＣＡ更新メカズムを適用するように前記端末デバイスを構成するための制御命令を設定するように構成された処理モジュール（５４、３４１、３４２）を有し、
前記処理モジュール（５４、３４１、３４２）は、送受信器モジュール（３２１、３２２、５２）と共に動作し、前記端末デバイス（１０）へ前記制御命令を送信する、ネットワークノード。
【請求項３２】
１つまたは複数のプロセッサ上で実行されると、１つまたは複数のプロセッサに請求項１３から２１のいずれか１項に記載の方法を実行させる命令を含むコンピュータプログラムを記憶したコンピュータ可読記憶媒体。
【請求項３３】
少なくとも１つのプロセッサ上で実行されると、少なくとも１つのプロセッサに請求項２２から２５のいずれかに記載の方法を実行させる命令を含むコンピュータプログラム。
【請求項３４】
請求項３２または３３に記載のコンピュータプログラムを含むキャリアであって、電気信号、光信号、無線信号、またはコンピュータ可読記憶媒体のうちの１つである、キャリア。
【発明の詳細な説明】
【技術分野】
【０００１】
本発明は、一般的には無線通信に関し、具体的には同時マルチＲＡＴキャンピングのための協調メカニズムのための方法、端末デバイス、ネットワークノード、コンピュータ可読記憶媒体、コンピュータプログラム、およびコンピュータプログラムを含むキャリアに関する。
【背景技術】
【０００２】
第５世代モバイルネットワーク（５Ｇ）の要件と新しい５Ｇエアインタフェースの需要は、とりわけ、超高信頼性通信（ＵＲＣ）のために、大規模マシン通信（ＭＭＣ）の処理と低レイテンシ（１ミリ秒のオーダー）のサポートによって推進されている。データレートおよびレイテンシ（待ち時間）に関して５Ｇの要件を満たすために、例えば６ＧＨｚ以上の、より高い周波数で動作するように設計された新しいエアインタフェースが必要とされる。ＬＴＥに割り当てられている現在の周波数帯域と比較すると、新しい無線インタフェースのカバレッジをよりまだらにする、すなわちより不規則にすることができるように、はるかに困難な伝搬条件が存在する。特にネットワーク側でのビームフォーミングの広範な使用は、伝播の課題を克服するために高周波無線アクセスの不可欠な部分であり得る。潜在的なリンクバジェットの増加にもかかわらず、純粋にビームフォーミングとより高い周波数での運用に頼っているシステムの信頼性は厳しものであろう。特に、カバレッジは時間／スペースの変動に敏感である。したがって、ＬＴＥ無線インタフェースと、以下ではＮＷ（New Radio）と呼ばれる新しいエア５Ｇ無線インタフェースとの緊密な統合化が提案されている。
【０００３】
ＬＴＥとＮＲ（５Ｇ）の緊密な統合化を実現するための特定のアーキテクチャに関しては、ＬＴＥおよびＮＲに対する共通ＰＤＣＰレイヤといった異なるアクセス間の現在の相互作用とは対照的に、ＲＡＮプロトコルスタックに共通の機能性があると仮定されている。現在のシステム（例えば、ＵＭＴＳおよびＬＴＥ）では、その仮定とは異なり、相互作用は、ユーザプレーン（ＵＰ）および制御プレーン（ＣＰ）の両方に関して、ノード間インタフェースに依存する。例えば、Ｅ−ＵＴＲＡＮとＵＴＲＡＮの相互作用の場合、ＭＭＥとＳ−ＧＷがＳ１１インタフェースを介して相互に接続される。そのようなアーキテクチャは、基本的に、（常にコアネットワークシグナリングを含む）ハードハンドオーバ、および、複数のエアインタフェースのための半独立のリソース管理を介してのみカバレッジの連続性および負荷分散を可能にする。
【０００４】
ＬＴＥとＮＲとの密接な統合化は、3GPP TR 38.913 “Study on Scenarios and Requirements for Next Generation Access Technologies（次世代アクセス技術のシナリオおよび要件に関する研究）”、v0.3.0、http://www.3gpp.org/DynaReport/38913.htmにおいて要件として取り込まれている。ここで、「ＲＡＮアーキテクチャは、高性能のＲＡＴ間モビリティと、ＬＴＥと新しいＲＡＴとの間の少なくとも二重接続性によるデータフローの集約とを考慮して、新しいＲＡＴとＬＴＥとの間の緊密な相互作用をサポートするものとする。これは、併設（collocated）サイト配置と非併設（non-collocated）サイト配置の両方でサポートされる。」と記載されている。対応する目的は、New Radio Access Technology、3GPP TSG RAN meeting #71、RP-160671、New SID Proposalの研究項目に取り込まれた。新しい無線アクセス技術に関する研究ＬＴＥと新しい５Ｇエアインタフェースの緊密な統合化を実現するために、Da Silvaらの「Tight Integration of LTE and the new 5G air interface to fulfill 5G requirements（５Ｇ要件を満たすためのＬＴＥと新しい５Ｇエアインタフェースの緊密な統合化）」、2015は、制御プレーンに対しては、図１Ａに示すように、共通のＲＲＣ／ＰＤＣＰプロトコルレイヤに依存する論理的アーキテクチャを提案している。スタンドアローンのＬＴＥとＮＲネットワークノード、および、併設ＬＴＥ／ＮＲネットワークノード（すなわち、ＬＴＥとＮＲが両方とも実装されているネットワークノード）の場合に対しては、図１Ｂに共通のノード間インタフェース（Ｓ１＊*）の代替案が示されている。
【０００５】
ＮＲとＬＴＥの間で、接続モードにおいて高性能のＲＡＴ間モビリティを達成するための最も簡単な方法は、ＬＴＥとＮＲの両方に対して単一のＰＤＣＰレイヤ、すなわちＬＴＥとＮＲの両方に対して単一のＰＤＰＣ仕様および単一の進化の軌跡（Evolution track）を定義することである。この単一のＰＤＣＰは、ＮＲ下位レイヤからのサービスにも依存するように拡張されたＬＴＥ−ＰＤＣＰ、または開始点としてＬＴＥ−ＰＤＣＰを有する新しいＮＲ−ＰＤＣＰ仕様になる。これらの場合のいずれにおいても、ＬＴＥとＮＲとの間のハンドオーバは、継続的なＰＤＣＰコンテキストおよびＰＤＣＰ ＳＤＵの再送信からおそらく利益を得ることができる。高性能のモビリティのサポートに関連したＬＴＥ−ＰＤＣＰ機能に加えて、ヘッダ圧縮および解凍および順序通りの配信のような他のＰＤＣＰ機能もＮＲで必要とされるだろう。したがって、単一のＰＤＣＰは、ＵＰ設計が高性能のＲＡＴ間モビリティを達成するための合理的な開始点であるように思われる。これを図２に示す。
【０００６】
単一のＰＤＰＣはまた、送信のためのＰＤＣＰ ＰＤＵルーティングおよびＬＴＥ−ＰＤＣＰからの受信のためのＰＤＣＰ ＰＤＵ並べ替え機能が再利用され得るマルチＲＡＴアグリゲーションの解決策に対して有益であり得る。この場合、ＮＲまたはＬＴＥのいずれかは、おそらくフローが分割されるＲＡＴとして定義され得る。したがって、図３に示すように、ＬＴＥ−ＰＤＣＰは、ＮＲの下位レイヤからのサービスに頼ることができる。
【０００７】
ＮＲとＬＴＥの緊密な統合化をサポートするためのＲＲＣ設計に関して、特定の態様はデュアルコネクティビティのＲＲＣサポートに関する。ここで、ＵＥのためのアクティブモード（または接続状態）送信をサポートするための１つの選択肢は、ＬＴＥとＮＲの両方に対して単一セットのＲＲＣ仕様を有することであろう。その選択肢の変形は、ｉ）ＮＲ機能をカバーするためのＬＴＥ ＲＲＣ機能性の拡張、またはｉｉ）開始点としてＬＴＥ機能を有するＮＲのための仕様の新しいセットの作成、である。別の選択肢は、２つのＲＲＣ仕様を有することであろう。そこでは、両方の仕様に渡るいくつかのＩＥの定義等、あるレベルの調整が想定され得る。
【０００８】
デュアルコネクティビティのアクティブモード動作サポートに関して、単一（シングル）またはデュアルのＲＲＣマシンが定義されてもよい。ここでは、単一のＲＲＣ状態マシンが図４に示されている。このように、これまでの努力の大部分は、ＵＥがアクティブであるとき、すなわち何らかのユーザプレーン（ＵＰ）データまたは制御メッセージさえも送信しているときに、ＬＴＥおよびＮＲによって可能にされるデュアルコネクティビティを探索する方法に集中している。いくつかの解決策が、Da Silvaらによる、「Tight Integration of LTE and the new 5G air interface (AI), also referred to as NR here, to fulfil 5G requirements（５Ｇ要件を満たすために、ＬＴＥとＮＲとも呼ばれる新しい５Ｇエアインターフェース（ＡＩ）の緊密な統合化）」、2015において見いだされる可能性がある。
【０００９】
図５は、Da Silvaらに記載されたいくつかの特徴を要約している。特に、「制御プレーンダイバーシチ」内で、ＬＴＥおよびＮＲのための共通制御プレーンは、デュアル無線ＵＥ、すなわち、ＬＴＥおよびＮＲの両方に同時に接続するためにデュアル受信器および送信器の両方を有する端末デバイスが、２つのエアインターフェイス（ＡＩ）を介して接続された専用のシグナリング用のポイントに対する単一の制御を有することを可能にする。ここでの主な利点は、ＡＩを切り替えるための明示的なシグナリングを必要とせずに信頼性を提供することである。これは、１つのＡＩの接続が急速に失われ、「シグナリングの切り替え」が実行できなかった特定の伝搬シナリオでは重要である。更に、「高速制御プレーン切り替え」では、ＵＥは、任意のＡＩを介して単一の制御ポイントに接続し、広範な接続設定シグナリングを必要とせずに１つのリンクから別のリンクに非常に高速に切り替えることができる。この解決策は、デュアル無線ＵＥ以外の他の種類のＵＥ、すなわち、デュアル受信器のみを有するが単一の送信器を有するＵＥ、または両方のＡＩが同時に１つのみが可能な単一の無線ＵＥを有するＵＥにも使用され得る。「ユーザプレーンアグリゲーション」は、単一のデータフローを複数のＡＩに渡って集約すること、または異なるデータフローを異なるＡＩにマッピングすることを可能にし得る。「高速ユーザプレーン切り替え」では、１つのＵＥに対するユーザプレーンは、一度に単一のＡＩのみを使用するが、それらの間には高速切り替えメカニズムが提供される。そのようなメカニズムはすべてのタイプのＵＥに適用され得る。更に、「ＬＴＥの助けによる傾き（Ｌｅａｎ）」は、ＮＲ上にアクティブなＵＥがあるときに、ＮＲ（新しいＡＩ）送信器をアクティブにし、アイドルモードのＵＥに ＬＴＥ上でシステム情報等の情報を送信するための機能である。
【発明の概要】
【００１０】
［既存の解決策に関する問題］
しかしながら、デュアル無線ＵＥに対するスリープ状態については、あまり検討されていない。ＬＴＥでは、ＵＥは、セルにアクセスする準備ができているとき、すなわちセルのシステム情報を取得し、どのようにしてＲＡＣＨにプリアンブルを送信するかを知っているときに、セル内にキャンプインしていると言われる。ＵＥは、ＬＴＥにおいてバッテリ節約のために最適化された主なスリープ状態である、ＲＲＣ＿ＩＤＬＥ状態と呼ばれる状態でＬＴＥセルにキャンプする。このような状態では、モビリティはセル再選択を介してＵＥによって実行され、ＵＥはＲＡＮレベルでは知られておらず、ＬＴＥセルのセットによって構成されるトラッキングエリアまたはトラッキングエリアリストではコアネットワークレベルでのみ知られている。これは、例えば、ページングを介してネットワークがＵＥに連絡する必要がある場合に必要とされる。したがって、最悪の場合、ＣＮは、ＵＥが構成されているトラッキングエリアリストに属するセルにページングコマンドを送信する必要がある。ＵＥがネットワークの周りを移動するにつれて、ネットワークがまだＵＥにページングできるように、それがそのトラッキングエリアをトラッキングエリアリストにないトラッキングエリアに変更した場合には、それはコアネットワーク、より具体的にはＭＭＥにＮＡＳシグナリングを介して通知する必要がある。２Ｇ（ＧＳＭ／ＧＰＲＳ）、３Ｇ（ＷＣＤＭＡ／ＵＭＴＳ、ＣＤＭＡ２０００、ＣＤＭＡ ＥＶ−ＤＯ）システムでも、類似しているが、わずかに異なる概念が使用されている。
【００１１】
現在、アイドル状態は、ＲＡＮにおいてＵＥ非アクティブに対する主な状態として使用されている。ＬＴＥにおける現在のアイドルモードでは、通常は異なる周波数で動作する、異なるＲＡＴ間のモビリティ（移動性）がサポートされている。ＵＥがアイドルモードで２つのＲＡＴ間を移動するときに、ネットワークに向けてのトラッキングエリア（またはルーティングエリア、またはロケーションエリア）の更新シグナリングを最小化するために利用可能な機能強化もある。例えば、ＧＳＭおよびＷＣＤＭＡ（ＵＭＴＳ）では、両方のＲＡＴに渡るロケーションエリアまたはルーティングエリアを設定できる。この場合、ＵＥは、アイドル状態にあるＲＡＴ間を移動するときにロケーションまたはルーティングエリア更新手順を実行する必要はない。ネットワークは、ＵＥに到達したいときに両方のＲＡＴにおけるページングを担当する。同様に、ＵＥがＬＴＥと３Ｇの両方のコアネットワークに登録されることを可能にするＬＴＥと３Ｇにおいて定義されたメカニズムがあり、初期登録後、シグナリングを実行することなくＬＴＥと３Ｇとの間でアイドル状態において前後に移動することを可能にする。
【００１２】
これらの従来技術の解決策の重要な側面は、ＵＥが一度に１つのＲＡＴにキャンプするだけであるということである。ＵＥがキャンプインするべきＲＡＴは、異なるＲＡＴ／キャリア周波数および無線品質閾値に対する優先度によって制御される。例えば、より高い優先度を有する１つのＲＡＴの無線条件が（おそらくシステム情報を介して通知される）所与の閾値を下回ると、ＵＥは隣接ＲＡＴを測定し始め、ある条件が満たされるとＵＥは他のＲＡＴにキャンプインし始める。ＵＥがキャンプインするＲＡＴは、ＵＥが到来する呼／ページングに対して監視することを想定しているＲＡＴ、および／または対応するバッファ内に送信待ちのアップリンクデータがあるときにＵＥが（例えばランダムアクセスを使用して）アクセスしようとするＲＡＴである。すなわち、同じＲＡＴ、すなわちＵＥがキャンプインしているＲＡＴがページングとネットワークアクセスの両方に使用される。
【００１３】
ＮＲとＬＴＥの緊密な統合化に取り組むために、効率的なＵＥのスリープ、スリープからアクティブ状態への高速で軽量な移行、および、デュアルコネクティビティの迅速な確立といったジョイントアクセスの最適化を可能にするために、すなわち、ＵＥが最初にＬＴＥを介してアクセスするときにセカンダリＮＲリンクを迅速に追加すること、およびその逆を可能にするために、図６に示す新しい状態モデルが５Ｇアーキテクチャのために提案されている。提案された状態モデルでは、ＵＥは、例えばＮＲまたはＬＴＥを介して電源を入れることによってアクセスを開始することができる。ＵＥがＬＴＥを介して開始する場合、それは接続（ＣＯＮＮＥＣＴＥＤ）状態になり、ＬＴＥキャリアを使用するように構成される。それがＮＲ上で開始する場合、それはまた接続状態になるが、ＮＲキャリアを使用するために構成される。
【００１４】
しかしながら、ＬＴＥとＮＲの両方に同時に接続することができるデュアル接続デバイスの導入と共に、同時に複数のＲＡＴにキャンプオンすることができる端末デバイスも考慮することが可能である。
【００１５】
マルチＲＡＴの緊密な統合化（特にＬＴＥと５Ｇ  ＲＡＮに対するＮＲ）の分野における取り組みの大部分は、これまでのところ接続状態のＵＥに向けられてきた。一方、提案されているＮＲ概念の状態マシンは、ＬＴＥ無線とＮＲ無線の両方に関連するスリープ状態を含む。スリープ状態におけるＵＥおよびＲＡＮの動作に関連する問題は大きな関心事である。より具体的には、現時点で、特に端末デバイス（ＵＥ）が追跡またはＮＲ登録エリア更新を実行すべき時期および方法に関して、デュアルキャンプ、すなわち２つの異なるＲＡＴでのキャンプを制御するためのメカニズムは現在ない。そのようなメカニズムが利用可能であれば、これはより高い信頼性（限度あるレイテンシ、例えば１ミリ秒のオーダーのレイテンシ）、および追跡またはＮＲ登録エリア更新のためのより少ないシグナリング、あるいはネットワークにおけるより少ないページングにつながる更なる強化を切り開くことができる。
【００１６】
したがって、マルチＲＡＴキャンプを制御するためのメカニズムを提供する必要がある。
【００１７】
［解決策］
したがって、本発明の目的は、上述した問題を解決することである。上記の欠点を克服するために、本発明は同時マルチＲＡＴキャンプを調整するためのメカニズムを導入する。
【００１８】
適切な方法、ネットワークノード、端末デバイス、コンピュータ可読記憶媒体、コンピュータプログラム、およびそのコンピュータプログラムを含むキャリアは、独立請求項に定義される。有利な実施形態は従属請求項によって規定される。
【００１９】
一実施形態では、異なる無線アクセス技術（ＲＡＴ）で動作する少なくとも第１と第２のタイプの無線アクセスを介して端末デバイスに対する無線アクセスを提供する無線通信ネットワークにおける方法が定義され、当該方法は、ネットワークノードにより、第１のＲＡＴに関連付けられた第１のキャンプエリアのセットと第２のＲＡＴに関連付けられた第２のキャンプエリアのセットを含むキャンプエリア（ＣＡ）のセットに関する指標を送信することと、端末デバイスにより、ＣＡのセットに基づいて定義されたカバレッジエリアにおいてキャンプを実行することと、端末デバイスにより、（ａ）端末デバイスが、第１のメカニズムとして、第１と第２のＣＡのセットの両方により定義されるカバレッジエリアと異なる新しいカバレッジエリアに入るとき、なたは（ｂ）端末デバイスが、第２のメカニズムとして、第１と第２のＣＡのセットの一方により定義されるカバレッジエリアと異なる新しいカバレッジエリアに入るときに、端末デバイスの地理的位置で通信ネットワークを更新すること、を含む。
【００２０】
更なる実施形態では、異なる無線アクセス技術（ＲＡＴ）で動作する少なくとも第１と第２のタイプの無線アクセスを介してチャネルを監視することが可能な端末デバイスにおける方法が定義され、当該方法は、第１のＲＡＴに関連付けられた第１のキャンプエリアのセットと第２のＲＡＴに関連付けられた第２のキャンプエリアのセットを含むキャンプエリア（ＣＡ）のセットに関する指標を受信することと、ＣＡのセットに基づいて定義されたカバレッジエリアにキャンプすることを実行することと、（ａ）第１のメカニズムとして、第１および第２のＣＡのセットの両方により定義されるカバレッジエリアと異なる新しいカバレッジエリアへ端末デバイスが入るとき、または（ｂ）第２のメカニズムとして、第１および第２のＣＡのセットのうちの１つにより定義されるカバレッジエリアと異なる新しいカバレッジエリアへ端末デバイスが入るときに、端末デバイスの地理的位置で通信ネットワークを更新すること、を含む。
【００２１】
更なる実施形態では、異なる無線アクセス技術（ＲＡＴ）で動作する第１と第２のタイプの無線アクセスを介して１つ以上のチャネルを提供するネットワークノードにおける方法が定義され、当該方法は、第１のＲＡＴに関連付けられた第１のキャンプエリアのセットと第２のＲＡＴに関連付けられた第２のキャンプエリアのセットを含むキャンプエリア（ＣＡ）のセットに関する指標を端末デバイスへ送信することと、（ａ）第１のメカニズムとして、第１および第２のＣＡのセットの両方により定義されるカバレッジエリアと異なる新しいカバレッジエリアへ端末デバイスが入るときに端末デバイスの地理的位置を更新する、または、（ｂ）第２のメカニズムとして、第１および第２のＣＡのセットのうちの１つにより定義されるカバレッジエリアと異なる新しいカバレッジエリアへ端末デバイスが入るときに端末デバイスの地理的位置で通信ネットワークを更新する、ためのＣＡ更新メカニズムを適用するように端末デバイスを構成するための制御命令を送信することを含む。
【００２２】
別の実施形態では、上述の方法を実行するように構成されたネットワークノードと端末デバイスがそれぞれ定義される。また更なる実施形態では、対応するコンピュータ可読記憶媒体、コンピュータプログラム、およびそのコンピュータプログラムを含むキャリアが定義される。
【００２３】
［利点］
マルチＲＡＴキャンプにより、ＵＥは、スリープ状態、すなわち、非アクティブ状態、アイドル状態、および／または他の何らかの休止状態において、両方のＲＡＴを同時に監視することが可能になる。したがって、ロバスト性を高めるために、および／またはより迅速に、マルチＲＡＴの場合のデュアルコネクティビティまたは単一ＲＡＴ／マルチキャリアの場合はキャリアアグリゲーションといったマルチコネクティビティへのアクセスを得るために、ＵＥはどちらのＲＡＴにアクセスしようとするか、または両方に同時にアクセスしようとするかをより迅速に選択することができる。
【００２４】
ネットワークの観点からは、本発明の概念はページングのためのネットワークシグナリングを節約することもできる。ＵＥが両方のＲＡＴにキャンプオンする場合、ネットワークは、ＲＡＴのうちの１つをページングすることのみを選択することができ、おそらく第１のＲＡＴのページングで応答が受信されない場合は他のＲＡＴでのページングが続く。ＵＥがネットワークに通知することなくＲＡＴを横切って移動する場合、それは有益であり得る。特に共存していないシナリオでは、これにより、ＬＴＥとＮＲの間のＸ２＊ベースのページングの解決策を特定する必要性を回避されるだろう。
【図面の簡単な説明】
【００２５】
本明細書における実施形態は、実施形態を示す添付の図面を参照することにより、以下の詳細な説明においてさらに詳細に説明される。
【図１Ａ】図１Ａは５Ｇ  ＲＡＮ制御プレーンに対するプロトコルアーキテクチャを示す。
【図１Ｂ】図１Ｂは、ノード間インタフェースを示す５Ｇ ＲＡＮアーキテクチャを示す。
【図２】図２は、単一の仕様と進化の軌跡を有するＬＴＥとＮＲのための単一のＰＤＣＰを示す。
【図３】図３は、単一のＰＤＣＰを使用するデュアルコネクティビティの解決策を示す。
【図４】図４は、ＮＲとＬＴＥとの間のデュアルコネクティビティにおけるＵＥに対する単一の状態マシンを示す。
【図５】図５は、接続モードに対するマルチＲＡＴの特徴を示す。
【図６】図６は、ＬＴＥとＮＲに対するＵＥ状態モデルを示す。
【図７】図７は、同時マルチＲＡＴキャンプを調整するための方法の実施形態を示す概略フロー図である。
【図８Ａ】図８Ａは第１のキャンプエリアのセット（ＣＡ−ＲＡＴ１）と第２のキャンプエリアのセット（ＣＡ−ＲＡＴ２）により定義されるカバレッジエリアを概略的に示す。
【図８Ｂ】図８Ｂは第１のキャンプエリアのセット（ＣＡ−ＲＡＴ１）と第２のキャンプエリアのセット（ＣＡ−ＲＡＴ２）のリストを概略的に示す。
【図９】図９は、同時マルチＲＡＴキャンプを調整するための方法の別の実施形態を示す概略フロー図である。
【図１０】図１０は、同時マルチＲＡＴキャンプを調整するための方法の別の実施形態を示す概略フロー図である。
【図１１】図１１は、同時マルチＲＡＴキャンプを調整するための方法の別の実施形態を示す概略フロー図である。
【図１２】図１２は、同時マルチＲＡＴキャンプの調整のための無線アクセスネットワークノードを介した端末デバイスとネットワークノードを示す概略図である。
【発明を実施するための形態】
【００２６】
以下では、添付の図面を参照しながら実施形態について説明する。以下の説明は例のみを含むものであり、本発明を限定するものとして解釈されるべきではないことに留意されたい。当業者は、以下の詳細な説明を読めば更なる特徴および利点を認識するであろう。さらに、類似または同一の参照符号は、類似または同一の要素または動作を示す。
【００２７】
２つのＲＡＴ間のインターワーキングまたは統合化が、ある無線アクセス技術（ＲＡＴ）から別のＲＡＴに移動するときにネットワークを更新する必要なしに、端末デバイス（ＵＥ）が異なるＲＡＴのカバレッジを移動するための柔軟性を高めるために採用される場合に、ＵＥが少なくとも２つの異なるＲＡＴに同時にキャンプオンすることを容易にする。ここで、端末デバイス（以下においてＵＥとも称される）は、移動する端末デバイスまたは固定の端末デバイスであり得る。端末デバイスは、無線端末デバイスであり、１つ以上の基地局（ｅＮＢ）への少なくとも２つの異なる無線アクセス技術を介した無線アクセスを有することができる、（固定された、または、移動する）ユーザデバイス（ＵＥ）またはＭＴＣデバイス、例えば、「自動運転車」であり得る。更に、ネットワークノード（基地局）は、無線通信ネットワークの無線アクセスネットワークノード、特に端末デバイスへの無線アクセスを提供するための無線アクセスノードであり、無線アクセスを提供し得るカバレッジエリア（上述したようなビームフォーミングプロセスに基づくことを含む）も有する。なお、基地局はまた、ＬＴＥ進化型無線アクセス技術および５Ｇ無線アクセス技術（ＮＲ）といった複数の無線アクセスをサポートし得る。そのような無線アクセスは、任意のスペクトルまたは規格（ＧＳＭ、ＧＰＲＳ、３Ｇ、４Ｇ、ＬＴＥ、５Ｇ、ＮＲ、ＷｉＦｉ、さらにはＤＥＣＴなど）のものであり得る。さらに、無線アクセスネットワーク（ＲＡＮ）ノードは、上記に説明したように、コアネットワークノード（ＭＭＥなど）および／または他のＲＡＮノードと接続することができる。
【００２８】
５Ｇ技術の特定の技術的問題は、ＬＴＥとの「緊密な統合化」である。これは、第１のタイプの無線アクセス技術、すなわちＮＲ ＲＡＴを提供する５Ｇシステムと、第２の異なるタイプの無線アクセス技術、すなわちＬＴＥ ＲＡＴを提供するＬＴＥシステムとが非常に緊密な協力および統合レベルを有することを意味する。伝統的に、例えばアイドルモード／非アクティブ状態／サスペンド状態である休止状態にある端末デバイス（ＵＥ）は、ＧＳＭ、ＵＭＴＳ、またはＬＴＥ等の１つのＲＡＴ内の１つのセルにキャンプする。「キャンプ」または「キャンピング」とは、ＵＥがダウンリンク制御チャネルのセットを監視することを意味する。ＬＴＥの場合、これはＵＥがセル固有のＰＣＩおよび参照信号を監視しており、必要に応じてシステム情報を読み取ることを意味する。加えて、ＬＴＥにおけるＵＥは、その特定のページング機会にページをチェックするためにＰＤＣＣＨを監視する。したがって、ＵＥはシステム情報を取得しており、セルにアクセスする準備ができている。
【００２９】
ＮＲ−ＬＴＥの緊密な統合化では、端末デバイス（ＵＥ）がＮＲセルとＬＴＥセルの両方に同時にキャンプ（イン）する能力を有することがここで提案されており、これは以下では「デュアルキャンプ」とも呼ばれる。これは、対応するダウンリンク制御チャネルを監視し、システム情報を読み取り、ＬＴＥとＮＲのＲＡＴシステムの両方でページングを受信することができることを意味する。これはまた、ＵＥがおそらく同時に複数のＲＡＴにアクセスする可能性があることを意味し得る。
【００３０】
ネットワークは、デュアルキャンプを実行することを可能にするようにＵＥを構成し得る。更に、ネットワークは、ページ監視のため、および、ＵＥの位置を用いてネットワークを更新するために異なるメカニズムを使用するようにＵＥを構成することができる。したがって、本発明の文脈において、「キャンプエリア」（ＣＡ）という用語は、エリアの種類および／またはサイズ（セルに関連するエリア、依存するカバレッジエリアなど）の総称として定義され、ＵＥにその所在を知らせることなく移動することが許されるエリアの定義を構築するために使用することができる。ＬＴＥにおいて、ＣＡはトラッキングエリアとして実現されている。この用語では、ＵＥの位置をネットワークに報告する手順は一般に「キャンプエリア更新」または「ＣＡ更新」または「ＣＡＵ」と呼ばれる。ネットワークは、ＣＡのＣＡ識別子（ＣＡＩ）（例えば、ＬＴＥにおけるトラッキングエリア識別子（ＴＡＩ））をブロードキャストすることによってＣＡの存在を指示する。
【００３１】
本発明の一般的な概念は、重複する（地理的な）カバレッジを有するエリア内の複数のＲＡＴ上のチャネルを監視することができるＵＥのキャンプ動作を管理するネットワークまたはポリシーベースの制御メカニズムに基づく。制御メカニズムは、ＵＥのタイプ／能力、（通常使用されるおよび／またはおそらく継続中の）サービスのタイプ、ＵＥが属する可能性があるネットワークスライシングインスタンス、デュアルコネクティビティおよび／またはキャリアアグリゲーションといった、マルチコネクティビティを迅速に確立する必要性、ＵＥのバッテリ状態、１つのＲＡＴ対他のＲＡＴのカバレッジパターン、および／または重複するカバレッジエリア、および／またはそれの安定性などの異なる特性に基づき得る。
【００３２】
本発明の概念によれば、ネットワークは、アイドルモード（または休止モードまたはスリープモード等の同様なモード）でキャンプするときであって、１つより多いＲＡＴ、特にＬＴＥとＮＲが利用可能である場合に、どのように動作するかについての規則（メカニズム）を用いてＵＥを構成することができる。規則は、ページのチェックのためにどのように／何を監視するかと同様に、ＵＥの位置でネットワークを更新するという点で、ＵＥの動作に適用される。この規則構成は、ＵＥがＣＡのセットで構成されるとき、すなわち、ＵＥがその所在をネットワークに知らせることなく、またネットワークが潜在的にＵＥをページングする可能性がある、両方の／すべてのＲＡＴ、あるいは、各ＲＡＴに対する１つのセットをカバーする、ＬＴＥにおけるトラッキングエリアおよびＮＲにおけるいくつかの対応するエリアで構成されるときに、好ましくは発生する。
【００３３】
図７は、実施形態に従う、無線通信ネットワークにおける方法のフロー図を示す。ここで、無線通信ネットワークは、１つ以上のネットワークノード（ｅＮＢ）３０１、３０２を介して、異なるＲＡＴで動作する少なくとも第１のタイプの無線アクセス（ＲＡＴ１）および第２のタイプの無線アクセス（ＲＡＴ２）を介して端末デバイス１０に対する無線アクセスを提供する。ここで、無線アクセスは、少なくとも部分的に、ＲＡＴ１およびＲＡＴ２の重複するカバレッジを有するカバレッジエリアにおいて提供され得る。
【００３４】
図７のステップＳ１１０によれば、少なくとも１つのネットワークノード（ｅＮＢ）（３０１、３０２）は、第１のＲＡＴに関連付けられた第１のキャンプエリアのセット（ＣＡ−ＲＡＴ１）と第２のＲＡＴに関連付けられた第２のキャンプエリアのセット（ＣＡ−ＲＡＴ２）を含むキャンプエリア（ＣＡ）のセットに関する指標を送信する。特に、指標情報は、複数のネットワークノード（ｅＮＢ）３０１、３０２を介して同期方式で送信され得る。ここで、第１のＲＡＴに関連付けられるキャンプエリア（ＣＡ−ＲＡＴ１）は、必ずしも第２のＲＡＴと関連付けられるキャンプエリア（ＣＡ−ＲＡＴ２）と同じでなくてもよい。例えば、ＬＴＥ（ＲＡＴ１）におけるキャンプエリアはセルにより与えられる一方、ＮＲ（ＲＡＴ２）におけるキャンプエリアはビームまたはシステム情報カバレッジエリア（システムエリアとも称され得る）により与えられ得る。以下に更に説明されるように、ＣＡの指標は、個別シグナリングまたは共通シグナリングを介して、例えば単一のリストまたはＲＡＴ毎のリスト内で、ＣＡ識別子により報告され得る。指標はしたがって、第１のキャンプエリアのセット（ＣＡ−ＲＡＴ１）の１つ以上のＣＡを示す、および／または、第２のキャンプエリアのセット（ＣＡ−ＲＡＴ２）の１つ以上のＣＡを示すリストまたはリストのセットを含み得る。ここで、リストはＲＡＴ１とＲＡＴ２の両方に対して共通な１つのリストであり得る。すなわち、現在の（例えば、端末デバイスの現在位置で利用可能な）キャンプエリアのセットは、複数のＲＡＴのうちの１つのみに関して、またはＲＡＴ１とＲＡＴ２の両方に関して、端末デバイス１０に示され得る。これは、例えば端末デバイス１０が２つのＲＡＴの一方に関してキャンプエリアのセットのみが変化するエリアに移動するときに、関連するキャンプエリアのセットを更新するのに十分に柔軟な動的な更新機能を提供する。
【００３５】
図８Ａに示されるように、第１のキャンプエリアのセット（ＣＡ−ＲＡＴ１）は、第２のキャンプエリアのセット（ＣＡ−ＲＡＴ２）と少なくとも部分的に重複する（地理的）エリアを定義し得る。すなわち、ＣＡ−ＲＡＴ１とＣＡ−ＲＡＴ２の組み合わせは、第１と第２のＲＡＴの両方を介して無線アクセスが利用可能であり、かつ、第１または第２のＲＡＴのみを介して無線アクセスが利用可能な共通のカバレッジエリアを定義し得る。そのような状況は、併設しないシナリオ、すなわち、ＬＴＥおよびＮＲが異なるネットワークノード３０１、３０２によって実施される場合に起こり得る。この状況はまた、併置されたシナリオ、すなわち、ＬＴＥとＮＲが同じネットワークノードによって実装され（例えば、３０１または３０２においてのみ）、ＮＲエアインタフェースがより低いカバレッジ、まだらなカバレッジ（例えば主にセル中心において）を有し、ビームフォーミングなどに依存するシナリオにおいて発生し得る。ＣＡ−ＲＡＴ１とＣＡ−ＲＡＴ２の組み合わせは更に、端末デバイス１０がその所在をネットワークに知らせることなく移動することが許される（地理的な）カバレッジエリアを定義する。あるいは（図示せず）、第１のキャンプエリアのセット（ＣＡ−ＲＡＴ１）は、併設された状況のように、第２のキャンプエリアのセット（ＣＡ−ＲＡＴ２）と本質的に完全に重複する（地理的）エリアを定義してもよい。更に、図８Ｂは、第１のＲＡＴに関連付けられたキャンプエリアのセットが４つのＣＡ、すなわち、ＣＡ−ＲＡＴ１ａ、ＣＡ−ＲＡＴ１ｂ、ＣＡ−ＲＡＴｃ、ＣＡ−ＲＡＴｄを含み、第２のＲＡＴに関連付けられたキャンプエリアのセットが３つのＣＡ、すなわち、ＣＡ−ＲＡＴ２ａ、ＣＡ−ＲＡＴ２ｂ、ＣＡ−ＲＡＴ２ｃを含む、例示的なリストを示す。言うまでもなく、この第１と第２のＣＡのセット（ＣＡ−ＲＡＴ１とＣＡ−ＲＡＴ２）の例は、本発明の概念を説明する目的のためにのみ提供されており、決して限定するものではない。図７における上記の送信ステップＳ１１０に基づいて、そのようなＣＡのセットの存在が端末デバイス１０に指示される。
【００３６】
指示に係る指標に含まれるＣＡのそれぞれには、例えば図８Ｂにおいて示されるように、優先度指標が更に提供され得る。このような優先度は、特に端末デバイスが複数のＣＡに属する場所にある場合に、端末デバイスがネットワークにアクセスするために選択すべき好ましいＣＡを示すことができる。そのような優先度は、端末デバイスが好ましくはネットワークにアクセスするために選択すべきであるという複数のＲＡＴのうちの好ましいＲＡＴを更に示すことができる。好ましいＣＡにおける好ましいＲＡＴは、エリア／場所に依存するものなどであり得る。ここで、ＣＡ優先度指標は、ＲＡＴ選好度指標に置き換えられてもよい。そのため、アクセスを実行するとき、選択があるとき、および例えばネットワーク全体の負荷状態がそのようなＲＡＴの分配を保証するとき、ＵＥはＲＡＴのうちの１つを優先させることができる。
【００３７】
更に、図７のステップＳ１２０によれば、端末デバイス１０は、送信されたＣＡのセット、すなわち、ＣＡ−ＲＡＴ１およびＣＡ−ＲＡＴ２に基づいて定義されるカバレッジエリアにおいてキャンプを実行する。そのような構成は、無線ネットワークノード３０またはコアネットワークノード５０によりトリガされてもよく、これにより、例えば、端末デバイス１０は、端末デバイス１０がＲＡＴ１とＲＡＴ２の両方のカバレッジエリアにある場合に、デュアルキャンプを実行することが可能となる。ここで、デュアルキャンプは、「休止状態」の間、すなわち、端末デバイス１０のアイドルモード、非アクティブ状態、サスペンド状態などの間に実行されてもよい。上述したように、デュアルキャンプとは、端末デバイス１０が第１および第２のＲＡＴの両方に同時にキャンプし、対応するダウンリンク制御チャネルを（例えばＲＡＴの少なくとも１つにおいて）監視し、システム情報（共通のシグナリングを介してネットワークによりシグナリングされるような、エリアにおけるＣＡ識別子）を読み取り、第１および第２のＲＡＴの両方でページングコマンドを受信することができ、潜在的に同時に複数のＲＡＴにアクセスすることができることを意味する。
【００３８】
更に、図７のステップＳ１３０によれば、端末デバイス１０は、（ａ）端末デバイス１０が、例えば図８Ｂに示す全てのＣＡである、第１と第２のＣＡのセット（ＣＡ−ＲＡＴ１、ＣＡ−ＲＡＴ２）により定義されるカバレッジエリアと異なる新しいカバレッジエリアに入る場合、および、（ｂ）端末デバイス１０が、例えば図８Ｂに示すＣＡ−ＲＡＴ２ａ、ＣＡ−ＲＡＴ２ｂ、ＣＡ−ＲＡＴ２ｃである、第１と第２のＣＡのセットのうちの１つのみにより定義されるカバレッジエリアと異なる新しいカバレッジエリアに入る場合に、ネットワーク側により、端末デバイス１０の動作に関する少なくとも第１と第２のメカニズムを用いて構成され得る。別の実施形態では、端末デバイスの地理的位置の更新を実行するためのトリガ条件は、端末デバイスが、第１と第２のＣＡのセット（ＣＡ−ＲＡＴ１、ＣＡ−ＲＡＴ２）の両方により定義されるカバレッジエリアから離れるとき（（ａ）の場合）、または、端末デバイスが第１と第２のＣＡのセットのうちの１つのみにより定義されるカバレッジエリアを離れるとき（（ｂ）の場合）の条件に基づき得る。
【００３９】
ここで、第１のメカニズムである（ａ）の場合に従って、端末デバイス１０は、新しいカバレッジエリアが入ったとき、または共通のカバレッジエリアが残されたときに、現在の地理的位置に関する更新を通信ネットワークに提供するためキャンプエリア更新（Ｃａｍｐｉｎｇ  Ａｒｅａ  Ｕｐｄａｔｅ）を使用することができる。特に、キャンプエリア更新メッセージは、端末デバイス１０からネットワークノード３０１、３０２に送信されてもよく、ネットワークノード３０１、３０２は、その後、キャンプエリア更新情報をＭＭＥなどのコアネットワークノード５０に送信してもよい。すなわち、端末デバイス１０が第１および第２のＣＡのセットの両方の地理的カバレッジ内に留まる限り、端末デバイス１０はその位置の報告／更新を提供（例えば、ＣＡ更新を実行）しない。
【００４０】
更に、第２のメカニズムである（ｂ）の場合に従って、端末デバイス１０は、第１または第２のＣＡのセットのうちの１つのみのカバレッジエリアが残されたときに、現在の地理的位置に関する更新を通信ネットワークに提供するためキャンプエリア更新を使用することができる。したがって、地理的位置のこの更新は、端末デバイス１０がＣＡのセットのうちの他方（すなわち、残っていないもの）のカバレッジエリアにまだいる場合であっても実行され得る。すなわち、ＵＥは、他のＲＡＴにおいて構成されたセットにおけるＣＡのカバレッジにまだいる場合でも、複数のＲＡＴのうちの１つにおいて構成されたＣＡのセットのカバレッジエリアを離れるとすぐに、または、複数のＲＡＴのうちの１つにおいて構成されたＣＡのセットと異なる新しいカバレッジエリアを出るとすぐに、その位置を報告する（例えば、ＣＡ更新を実行する）ように構成することができる。
【００４１】
更に、端末デバイス１０は、ネットワーク側により、端末デバイス１０の地理的位置の更新に関しての第３のメカニズムを用いて構成することができる。ここで、第１のキャンプエリアのセット（ＣＡ−ＲＡＴ１）に関連付けられた第１のＲＡＴは、優先ＲＡＴとすることができ、第２のキャンプエリアのセット（ＣＡ−ＲＡＴ２）に関連付けられた第２のＲＡＴは、バックアップＲＡＴとすることができる。ＲＡＴのこの分類によれば、第３のメカニズムは、端末デバイス１０を、（ｃ）端末デバイス１０が第１のキャンプエリアのセット（ＣＡ−ＲＡＴ１）により定義されたカバレッジエリアを離れるとき、すなわち、端末デバイス１０が優先ＲＡＴによるカバレッジを失うとき、または端末デバイス１０が第１のキャンプエリアのセット（ＣＡ−ＲＡＴ１）により定義されたカバレッジエリアと異なるカバレッジエリアに入るときに、端末デバイスの地理的位置を用いて通信ネットワークを更新するように構成する。地理的位置のこの更新は、端末デバイス１０が第２のキャンプエリアのセット（ＣＡ−ＲＡＴ２）により定義されるバックアップＲＡＴのカバレッジエリアにまだいる場合であっても実行され得る。図８Ｂに示される例示的な状況に関し、端末デバイス１０は、端末デバイスが依然としてＣＡ−ＲＡＴ２ａ、ＣＡ−ＲＡＴ２ｂ、ＣＡ−ＲＡＴ２ｃのカバレッジエリア内にいる場合であっても、ＣＡ−ＲＡＴ１ａ、ＣＡ−ＲＡＴ１ｂ、ＣＡ−ＲＡＴ１ｃ、ＣＡ−ＲＡＴ１ｄにより定義されるカバレッジエリアが残されているとき、キャンプエリア更新を実行し得る。ＲＡＴのこの分類によれば、第３のメカニズムは更に、端末デバイスを、（ｄ）端末デバイス１０が第２のキャンプエリアのセット（ＣＡ−ＲＡＴ２）すなわちバックアップＲＡＴにより定義されたカバレッジエリアを離れるが、第１のキャンプエリアのセット（ＣＡ−ＲＡＴ１）すなわち優先ＲＡＴにより定義されたカバレッジエリア内に留まるときに、端末デバイスの地理的位置を用いて通信ネットワークを更新しないように構成する。
【００４２】
上述した更新ステップＳ１３０に関し、特に第１、第２、および第３のメカニズム（（ｃ）の場合）に関して、端末デバイスのキャンプエリア更新は、第１のＲＡＴおよび／または第２のＲＡＴに対する更新、すなわち、１つのＲＡＴのみに関する単一の更新または両方のＲＡＴに対する組み合わせた更新であり得る。
【００４３】
更に、端末デバイス１０は、端末デバイスが第１、第２、および第３のメカニズムを適用するように構成するネットワークノード３０１、３０２から、制御命令が提供され得る。そのような制御命令は、好ましくはコアネットワークノードまたは端末デバイスに実装されるポリシー制御メカニズムにより設定され、以下の少なくとも１つに基づき得る。
‐端末デバイスのタイプ
‐端末デバイスの能力
‐サービスのタイプ
‐端末デバイスが属し得る通信ネットワークスライスインスタンス、  
‐デュアルコネクティビティおよび／またはキャリアアグリゲーションといったマルチコネクティビティの確立の必要性
‐端末デバイスのバッテリ条件
‐第１と第２のＲＡＴのカバレッジパターン、重複するカバレッジエリア、および重複するカバレッジエリアの安定性
【００４４】
図１２は、第１の無線アクセスネットワークノード３０１と第２の無線アクセスネットワークノード３０１を介して、異なる無線アクセス技術で動作する第１の第２のタイプの無線アクセスへそれぞれアクセス可能な端末デバイス１０を概略的に示す。無線アクセスネットワークノード３０１、３０２が、コアネットワークノード（ＭＭＥ等）、または例えばＲＡＮ内部のページングのコンテキストにおいてアンカーノードとして動作する別のネットワークノードであり得る別のネットワークノード５０と通信接続（有線または無線）を有するように、更に示されている。そのようなシナリオは、併設されていないエアインタフェースを示し、すなわち、ＲＡＴ１とＲＡＴ２は、異なる無線アクセスネットワークノード３０１と３０２に実装される。しかし、これは限定的なものではなく、本発明の概念は、ＲＡＴ１およびＲＡＴ２が両方とも同じ無線アクセスネットワークノード３０１内に実装されている併設されていないシナリオにも適用される。
【００４５】
端末デバイス１０は、それぞれの無線アクセスネットワークノード（ｅＮＢ）３０１、３０２の対応する無線送受信器モジュール３２１および３２２へのエアインタフェースを提供する無線送受信器モジュール１４を備える。無線送受信器モジュール１２および３４はそれぞれ、それぞれ異なる無線アクセス技術に従って信号およびメッセージを送信および受信するように集合的に構成された送信器回路、受信気回路、および関連する制御回路を含み得る。ネットワークノード５０は、無線アクセスネットワークノード（ｅＮＢ）３０１、３０２との通信接続（有線または無線）を提供する送受信器モジュール５２を備える。
【００４６】
図１２に更に示すように、端末デバイス１０、無線アクセスネットワークノード３０１、３０２、および（コアまたはアンカー）ネットワークノード５０はそれぞれ、無線送受信器モジュール１４、無線送受信器モジュール３２１および３２２、ならびに送受信器モジュール５２を制御するように構成された処理モジュール１２、３４１、３４２、５４を更に含む。処理モジュール１２、３４１、３４２、５４のそれぞれは、１つ以上のプロセッサ、例えば、プロセッサ、１つ以上のマイクロプロセッサ、マイクロコントローラ、マルチコアプロセッサ等を有する。より一般的には、処理モジュールは、教示された機能性を実施するプログラム命令の実行を介して特定的にに構成される固定回路またはプログラム可能回路を含むことができ、あるいは固定およびプログラム可能回路の組合せを含み得る。処理モジュールのそれぞれはまた、それぞれのメモリモジュール１６、３６１、３６２、および５６をそれぞれ含み、それらに接続されている。メモリモジュールは、いくつかの実施形態では、１つ以上のコンピュータプログラムと、オプション的に、構成データとを格納する。メモリモジュールは、コンピュータプログラム用の非一時的記憶装置を提供し、それは、ディスク記憶装置、固体メモリ記憶装置、またはそれらの任意の組み合わせなどの１つまたは複数の種類のコンピュータ可読媒体を含むことができる。非限定的な例として、メモリモジュールは、ＳＲＡＭ、ＤＲＡＭ、ＥＥＰＲＯＭ、およびＦＬＡＳＨメモリのうちのいずれか１つまたは複数を備えることができ、それらはそれぞれ処理モジュール１２、３４１、３４２、および５４内にあり、および／または処理モジュールとは別個であり得る。一般に、メモリモジュールは、コンピュータプログラムおよび端末装置／ネットワークノードによって使用される任意の構成データの非一時的記憶を提供する１つ以上の種類のコンピュータ可読記憶媒体を有する。ここで、「非一時的」とは、恒久的、半永久的、または少なくとも一時的に持続的な記憶を意味し、例えばプログラム実行のための、不揮発性メモリへの長期記憶と作業メモリへの記憶の両方を包含する。
【００４７】
図９は、別の実施形態に従う、無線通信ネットワークにおける方法のフロー図を示す。上述のステップＳ１１０、Ｓ１２０、およびＳ１３０に加えて、端末デバイスが指示されたカバレッジエリアと異なる新しいカバレッジエリアから離れ、または、指示されたカバレッジエリアと異なる新しいカバレッジエリアに入るときの端末デバイスの現在の地理的位置に関する（上述の）第１、第２、または第３のメカニズムによる更新（キャンプエリア更新）に応答して、通信ネットワーク、特にＭＭＥといったコアネットワークノード５０またはコアネットワーク機能性は、ステップＳ１４０において、新しい第１のキャンプエリアのセット（ＣＡ−ＲＡＴ１）および／または新しい第２のキャンピングエリアのセット（ＣＡ−ＲＡＴ２）を割り当てる。この新しいキャンプエリアのセットは、端末デバイスの現在の地理的位置に従って割り当てられ、併設されていないシナリオにおけるＬＴＥ無線アクセス（ＲＡＴ１）を提供するスタンドアローン（独立型）基地局またはＮＲ無線アクセス（ＲＡＴ２）を提供するスタンドアローン基地局、またはＲＡＴ１とＲＡＴ２が併設された基地局であり得る無線ネットワークノード（ｅＮＢ）３０１、３０２により端末デバイスに送信され得る。ステップＳ１４０における割り当てプロセスはまた、例えば、ＲＡＴにおける現在の負荷の条件を考慮に入れる方法で、または端末デバイス１０の現在の地理的位置におけるＲＡＴの他の要素を考慮に入れることによって実行され得る。新たに割り当てられたキャンプエリアのセットは、その後、例えばステップＳ１１０において上述したような送信ステップに基づいて、端末デバイス１０に指示される。
【００４８】
図１０は、別の実施形態に従う、無線通信ネットワークにおける方法のフロー図を示す。ステップＳ１１０、Ｓ１２０、およびＳ１３０（およびオプション的には上述したようにステップＳ１４０）に加えて、端末デバイス１０は、ＲＡＴカバレッジが失われたかどうかを継続的に判定する。ＲＡＴ１およびＲＡＴ２のいずれにおいてもカバレッジが失われない場合、端末デバイスは、ステップＳ１２０で上述したようにデュアルキャンプを継続する。一方、端末デバイス１０によって、現在のＣＡのセットによって定義されるようなカバレッジが失われ、端末デバイスが現在のＣＡのセットによって定義されるようなカバレッジエリアから出たと判定された場合、端末デバイスは、異なるＲＡＴのどれでカバレッジが失われるかを決定することができる。
【００４９】
例えば優先ＲＡＴに対するカバレッジが失われた場合、端末デバイスは図１０のステップＳ１５０に進み、ＲＡＴカバレッジの損失、ここでは優先ＲＡＴカバレッジの損失を、通信ノード３０１、３０２の一方または両方へ報告する。報告に使用される、ＲＡＴ内のＵＥの現在の地理的位置に基づいて、失われたＲＡＴ（優先ＲＡＴ）に対する新しいＣＡおよび／またＵＥが報告のために使用しているＲＡＴ（バックアップＲＡＴ）に対する新しいＣＡが、コアネットワークにおいて割り当てられ、端末デバイスに指示されてもよい。一方、カバレッジがバックアップＲＡＴに対して（のみ）失われた場合、端末デバイスは、図１０のステップＳ１５５に進み、優先ＲＡＴへのキャンプを継続し、例えば、より良い伝播条件を伴うより低い周波数で、同じ（失われた）ＲＡＴの別のキャリアに最初にアクセスしようと試みることができる。
【００５０】
図１１は、別の実施形態に従う、無線通信ネットワークにおける方法のフロー図を示す。図１１のステップＳ１７０によれば、例えば、ＲＡＴ１とＲＡＴ２の両方が実装されている（併設されている）無線アクセスネットワークノード３０またはコアネットワークノードにより、端末デバイス１０が第１と第２のＲＡＴの両方においてページされるか、または、端末デバイス１０が第１のＲＡＴと第２のＲＡＴの一方のみにおいてページされるかの決定がなされる。両方のＲＡＴを介したページングは、ＵＥが（例えば所与の時間フレーム内で）ページを受信する機会を最大化し得る。他のＲＡＴにおけるページがオプション的に続く、１つのみのＲＡＴに渡るページングは、ページシグナリングを最小化し得る。更に、異なるＲＡＴにおける負荷条件に依存して、優先ＲＡＴ（Ｐ−ＲＡＴ）における最初のページに、そして応答がない場合にのみバックアップＲＡＴ（Ｂ−ＲＡＴ）における続くページに選択することができる。したがって、ＵＥは、１つ以上のＲＡＴのページングチャネル、例えば、一度に１つのＲＡＴのページングチャネルを監視し、または、ＲＡＴ１とＲＡＴ２の両方のページングチャネルを監視するように構成され得る。あるいは、ＵＥは、優先ＲＡＴのみまたは優先ＲＡＴとバックアップＲＡＴの両方のページングチャネルを監視するように構成され得る。
【００５１】
ここで、ページングは、通常、コアネットワークノード５０から開始される。ＬＴＥにおいて、ＭＭＥは、ページングに参加するために各ｅＮＢ３０１、３０２へＳ１ＡＰページングメッセージを送信し、これは、ｅＮＢ３０１、３０２がＲＲＣページングメッセージを端末デバイス（ＵＥ）１０に送信することをトリガする。ページングメッセージは、他の上位レイヤの制御プレーンメッセージまたはユーザプレーンメッセージと全く同じようにＰＤＳＣＨで送信される。他のメッセージとの違いは、全てのＵＥが、ＰＤＣＣＨで待ち受けることができる特定のＲＮＴＩ、ページングＲＮＴＩ（Ｐ−ＲＮＴＩ）にアドレス指定されることである。ＰＤＳＣＨ上の実際のＲＲＣページングメッセージは、どのＵＥにページが向けられているかを示す識別子をページングレコードに含む。ＵＥのためのページング情報は、ＰＤＣＣＨによって示されるリソースブロック内のＰＤＳＣＨ上で搬送されている。ページングに応答するために、端末デバイス（ＵＥ）は、ランダムアクセス手順を実行し、ｅＮＢによってＭＭＥに転送されるべきＮＡＳサービス要求メッセージを送信することができる。
【００５２】
図１１のステップＳ１８０によれば、端末デバイス１０は、ステップＳ１７０におけるページングコマンドへの応答として、または端末デバイス開始アクセスとして、第１および第２のＲＡＴ、特にＰ−ＲＡＴ、または両方のＲＡＴにおいて、無線ネットワークノード（ｅＮＢ）３０１、３０２を介して通信ネットワークにアクセスする。ここで、図１１のステップＳ１７０およびＳ１８０は、上述したステップＳ１１０、Ｓ１２０、Ｓ１３０、Ｓ１４０、Ｓ１５０およびＳ１５５と併せて実行されてもよい。
【００５３】
以下は、好ましい実施形態による、上記に例示された第１、第２、および第３のメカニズム関する更なる態様を説明する。
【００５４】
第１のメカニズムおよび第１のメカニズムの第１のステップに関する好ましい実施形態によれば、通信ネットワークのネットワークノードは、専用シグナリングまたは共通シグナリング（例えば共通チャネルを介したシステム情報）を介して、１つ以上のＣＡ（またはシグナリングされたＣＡに割り当てられたコード／識別子）を含むリストまたはリストのセットを用いてＵＥを構成する。リストは共通でもよい、すなわち、両方のＲＡＴが同じＣＡを利用するか、または、ＬＴＥに対するリストとＮＲに対する別のリスト等、ＲＡＴごとに提供されてもよい。
【００５５】
そのようなリストは、ＵＥに割り当てられたＣＡに属するノード／セル内で移動している間にＵＥがＣＡ更新を提供する必要がないように、ＵＥが割り当てられる両方のＲＡＴをカバーする１つ以上のＣＡ（ＣＡ−ＲＡＴ１、ＣＡ−ＲＡＴ２）を含み得る。第１のメカニズムでは、ＵＥが新しいカバレッジエリアに入るとき、または両方のＲＡＴ内の割り当てられたＣＡを離れるが、それが少なくとも１つのＲＡＴのリストのＣＡのカバレッジに留まる限り、ＵＥがＣＡ更新を行うという意味で、この構成は緩和される。このリストは、以後、「ＣＡリスト」または「ＣＡのリスト」と呼ばれる。このリストは必須であり得る。
【００５６】
そのようなリストは、ＵＥが登録することを許可されている１つ以上のＲＡＴについての１つ以上のＣＡも含み得る。このリストは以下において「ホワイトリスト」と呼ばれる。このリストはオプションであり得る。
【００５７】
そのようなリストは、ＵＥが登録することを許可されていない１つ以上のＲＡＴに対して許可されていない１つ以上のＣＡも含み得る。このリストは以下において「ブラックリスト」と呼ばれる。このリストもオプションであり得る。
【００５８】
加えて、そのようなＣＡリストにおいてシグナリングされた各ＣＡは優先度指標を有することができる。これは、例えば、ＵＥが複数のＣＡに属する位置（例えばセル／ノード）にいる状況において、ＵＥが何らかの理由でネットワークにアクセスする必要がある場合、ネットワークが、どのＣＡ内でＵＥが好ましくはネットワークにアクセスすることを選択すべきかをＵＥに示すことができることを意味する。これは、同じＲＡＴ内で重複するＣＡが使用される場合、すなわち同じセル／ノードが同じＲＡＴにおける複数のＣＡに属し、対応する識別情報／コードをブロードキャストする場合にも適用され得る。それはまた、ＵＥが各ＲＡＴ内のＣＡによってカバーされているとき、例えばＬＴＥにおいて１つのＣＡかつＮＲにおいて１つのＣＡによりカバーされているとき、エリア／位置に依存し得る好ましいＲＡＴにＵＥを誘導するために適用され得る。
【００５９】
同様に、ホワイトリストにおいてシグナリングされた各ＣＡは優先度指標を有することができる。これらの優先度指標は、ＣＡリストにおけるオプションの優先度指標と同じ目的を持っており、同じように使用される。違いは、ホワイトリストの場合、優先度指標は、これが必要な場合に、ＵＥがどのＣＡに登録すべきか、例えば、ＣＡ更新を実行すべきかを指示する手段であることである。
【００６０】
選択があるときに、ＵＥが常にＲＡＴのうちの１つを優先するように、ネットワークはＣリストまたはホワイトリストにおける優先度指標をＲＡＴ選好度指標で任意に置き換えることができる。
【００６１】
ネットワークはまた、専用のシグナリングを介して、または共通のシグナリングを介して（例えば、システム情報）、または両方の組み合わせを使用して、ページング情報を用いてＵＥを構成し得る。この情報は、以下の情報の少なくとも１つを含み得る。すなわち、ＤＲＸ構成（場合によってはページング機会アルゴリズムに対する入力パラメータを含む）、１つ以上のページングチャネル（すなわち１つのＲＡＴまたは両方のＲＡＴに対する）、および関連するページング情報、である。
【００６２】
ネットワークはまた、専用シグナリングまたはＵＥが適用すべきＣＡメカニズム（すなわち、この例では第１のメカニズム）を用いた共通シグナリング（例えばシステム情報）を介してＵＥを構成し得る。
【００６３】
第１のメカニズムの第２のステップに従って、ＵＥがエリアにおいてキャンプしているとき、ＵＥは少なくとも１つのＲＡＴ内の関連する制御シグナリングを監視し、エリアにおけるＣＡＩを読み取る、または、デュアルキャンプを行っているときにＵＥが両方のＲＡＴを監視する場合にはエリア内のＣＡＩを読み取る。エリアのＣＡＩは、共通シグナリングを介してネットワークによりシグナリングされる。
【００６４】
第１のメカニズムの第３のステップに従って、ＵＥは、ネットワークにより構成された、複数のＲＡＴのうちの少なくとも１つにおけるページングチャネルを監視する。なお、これはキャンプの固有の側面と見なすこともでき、その場合、暗黙のうちに先行するステップに含まれるので、このステップは冗長である。
【００６５】
第１のメカニズムの第４のステップに従って、ＵＥは構成されたＣＡメカニズムを適用する。この場合、第１のメカニズムは、割り当てられたＣＡのいずれとも一致するＣＡがもはや検出されなくなったときに、ＵＥがＣＡ更新を実行すべきであることを示す。すなわち、ＣＡリストが各ＲＡＴについて提供される場合、ＵＥがＣＡ更新を実行することをトリガするために、いずれのＲＡＴについても割り当てられたＣＡリストのいずれにも一致が見出されるべきではない。このＣＡ更新は、両方のＲＡＴに対する、組み合わせた更新、すなわち、組み合わせた、ＬＴＥにおけるトラッキングエリア更新とＮＲにおける対応する更新であり得る。
【００６６】
したがって、ＵＥが割り当てられたＣＡのいずれにも一致するＣＡを検出しなくなったときにのみＣＡ更新が実行されるので、上述の第１のメカニズムはシグナリングを低減することができる。
【００６７】
以下、第２のメカニズムに関する好ましい実施形態について説明する。
【００６８】
第２のメカニズムの第１のステップに従って、ネットワークは、専用シグナリングまたは共通シグナリング（例えばシステム情報）を介して、１つ以上のＣＡ（またはシグナリングされたＣＡに割り当てられたコード／識別子）を含むリストまたはリストのセットを用いてＵＥを構成する。リストは共通でもよい、すなわち、両方のＲＡＴが同じＣＡを利用してもよい。また、それは、ＲＡＴごとに、すなわち、ＬＴＥに対するリストとＮＲに対する別のリストが提供されてもよい。
【００６９】
リストは、ＵＥに割り当てられたＣＡに属するノード／セル内で移動している間にＵＥがＣＡ更新を提供する必要がないように、ＵＥが割り当てられる（両方のＲＡＴをカバーする）１つ以上のＣＡを含み得る。第２のメカニズムに従って、この構成は、ＲＡＴごとに適用される。これは、ＵＥが、ＲＡＴのいずれかにおいて割り当てられたＣＡを離れるときに、ＣＡ更新を行わないことを意味する。すなわち、複数のＲＡＴのうちの１つにおけるリスト（例えばＣＡ−ＲＡＴ１）にあるＣＡを離れ、リストに含まれないＣＡに入る場合、他のＲＡＴのリスト（ＣＡ−ＲＡＴ２）にあるＣＡのカバレッジにまだいる場合であっても、ＣＡ更新を実行する。上記に定義された用語によれば、そのようなリストはＣＡリストである。このリストは必須であり得る。
【００７０】
リストはまた、ＵＥが登録することを許可されている（１つ以上のＲＡＴに対する）１つ以上のＣＡを含み得る（すなわち、ホワイトリスト）。このリストはオプションであり得る。リストはまた、ＵＥが登録することを許可されていない（１つ以上のＲＡＴに対して）許可されていない１つ以上のＣＡを含み得る（すなわち、ブラックリスト）。
【００７１】
ネットワークはまた、２つの異なるＲＡＴのうちの一方のカバレッジを失う場合に、例えばＵＥがＲＡＴ１のカバレッジを失ったときに、ＵＥの動作を管理する特別な「ＲＡＴカバレッジ外」の能力／動作でＵＥを構成し得る。これが発生すると、ＵＥの動作は（構成に応じて）次のいずれかとなり得る。
【００７２】
ａ）ＵＥは他のＲＡＴ、すなわち上記の例ではＲＡＴ２を使用し、ＲＡＴカバレッジの損失をネットワークへ報告する。ネットワークは、例えば、報告に使用されるＲＡＴにおけるＵＥの位置に基づき、失われたＲＡＴ（すなわち、ＲＡＴ１）に対する新しいＣＡを用いてＵＥを構成してもしなくてもよい。ネットワークはまた、ＵＥが報告のために使用しているＲＡＴ、すなわちＲＡＴ２に対する新しいＣＡを用いてＵＥを構成する機会を利用し得る。すなわち、ネットワークはこれを単一のＲＡＴ ＣＡ更新（ＲＡＴ１の場合）または複合（組み合わせた）ＣＡ更新（ＲＡＴ１およびＲＡＴ２の両方の場合）にするか、またはそれらのどれもしないようにすることができる。
【００７３】
ｂ）ＵＥは、依然として利用可能なＲＡＴ、すなわち上記の例ではＲＡＴ２にキャンプオンし続けること以外は何もしない。
【００７４】
ＵＥは、例えば、より良い伝搬条件を伴うより低い周波数において、同じＲＡＴの別のキャリアに最初にアクセスすることを試みることができるように、同じＲＡＴの異なるキャリアで構成することもできる。
【００７５】
加えて、そのようにシグナリングされたＣＡは、第１のメカニズムと同じ目的を果たすであろう優先度指標（または第１のメカニズムで上述したように「要約した」ＲＡＴ選好指標）を有することができる。
【００７６】
ネットワークはまた、専用のシグナリングを介して、または共通のシグナリングを介して（例えば、システム情報）、または両方の組み合わせを使用して、ページング情報を用いてＵＥを構成し得る。この情報は、以下の情報の少なくとも１つを含み得る。すなわち、ＤＲＸ構成（場合によってはページング機会アルゴリズムに対する入力パラメータを含む）、異なるＲＡＴの各ＲＡＴに対する少なくとも１つのページングチャネル（すなわち、ＵＥは両方のＲＡＴのページングチャネルを監視するように構成される）、および関連するページング情報、である。
【００７７】
ネットワークはまた、専用シグナリングまたはＵＥが適用すべきＣＡメカニズム（すなわち、この実施形態では第２のメカニズム）を用いた共通シグナリング（例えばシステム情報）を介してＵＥを構成し得る。
【００７８】
第２のメカニズムの第２のステップに従って、ＵＥがエリアにおい得てデュアルキャンプを実行するとき、両方のＲＡＴにおける関連制御シグナリングを監視し、そのエリアにおける異なるＲＡＴの両方のＣＡＩを読み取る。エリアのＣＡＩは、共通シグナリングを介してネットワークによりシグナリングされる。
【００７９】
第２のメカニズムの第３のステップに従って、ＵＥは両方のＲＡＴのページングチャネルを監視する。この解決策では、ネットワークは、（所与の時間フレーム内で）ＵＥがページを受信する可能性を最大にするために両方のＲＡＴでＵＥをページングしたいか、（ＵＥが第１のＲＡＴ内のページに応答しない場合には、オプションで他のＲＡＴにおけるページングが後に続く）ページシグナリングを最小にするためにＲＡＴの１つのみでページングするべきかを選択できる。ネットワークはまた、ＵＥがページされ、より低い負荷でＲＡＴにおいて応答するように、異なるＲＡＴにおける負荷を考慮し得る。ネットワークが多数のデュアルキャンプＵＥをページングしなければならない場合、それはまた、両方のＲＡＴにわたって負荷を分散する、すなわち、あるＲＡＴ内のいくつかのＵＥおよび他のＲＡＴ内の他のＵＥをページングすることもできる。これは、マルチＲＡＴ負荷分散を高速化していると見なされ、高負荷が発生しているシナリオにおいて設定することができる。
【００８０】
第２のメカニズムの第４のステップに従って、ＵＥは構成されたＣＡメカニズムを適用する。ここで、第２のメカニズムは、複数のＲＡＴのうちの１つにおいて、すなわちＲＡＴ１またはＲＡＴ２のいずれかにおいて、割り当てられたＣＡのいずれとも一致するＣＡがもはや検出されなくなったときにＵＥがＣＡ更新を実行すべきであることを示す。すなわち、ＣＡリストが各ＲＡＴについて提供される場合、ＣＡＴ− ＲＡＴ１等のリストにないＣＡに入ったために、複数のＲＡＴのうちの１つのリストに一致が見つからないとすぐに、ＣＡ−ＲＡＴ２等の他のＲＡＴのリストにおいて存在するＣＡによってまだカバーされている場合であっても、ＵＥはＣＡ更新を実行すべきである。ＣＡ更新に応じて、ネットワークは、（ステップにおいて上述したように）新しいＣＡリストまたはリストのセットをＵＥに割り当てるべきである。ＵＥが複数のＲＡＴのうちの１つのみの割り当てられたＣＡを離れることによりＣＡ更新がトリガされた場合であっても、ネットワークは両方の（全ての）ＲＡＴに対してＵＥに新しいＣＡを割り当て得る。これは、ＵＥが他のＲＡＴ内を移動するために複数のＣＡを割り当てられ、以前に割り当てられたＣＡがもはや最適ではない場合、好ましいかもしれない。このＣＡ更新は、両方のＲＡＴに対する、組み合わせた更新、すなわち、組み合わせた、ＬＴＥにおけるトラッキングエリア更新およびＮＲにおける対応する更新であり得る。
【００８１】
更に、ＵＥが複数のＲＡＴの１つのカバレッジを失う場合、上記のように、（もしあれば）ＲＡＴ外のカバレッジ動作の構成（設定）に従う。すなわち、それは、複数のＲＡＴのうちの１つのカバレッジの損失を報告するためにまだ利用可能なＲＡＴを使用するか、またはネットワークに通知せずにまだ利用可能なＲＡＴにキャンプオンし続ける。前者の場合、上述のように、ネットワークは、複数のＲＡＴの一方または両方において（またはそれらのどれも）、新しいＣＡを用いてＵＥを構成することができる。
【００８２】
上述のように、第２のメカニズムは、最大の信頼性と最小のページング遅延または最小のページングシグナリングのいずれかの利点を組み合わせる。
【００８３】
以下、第３のメカニズムに関する好ましい実施形態について説明する。
【００８４】
第３のメカニズムは、上述の第１のメカニズムと第２のメカニズムとの間のハイブリッドメカニズムと見なすことができる。ここで、複数のＲＡＴのうちの１つ、例えばＲＡＴ１は、第１のメカニズムに従って扱われ、他のＲＡＴ、例えばＲＡＴ２は、第２のメカニズムに従って扱われる。
【００８５】
ここで、ネットワークは、ＲＡＴを優先ＲＡＴ（Ｐ−ＲＡＴ）とバックアップＲＡＴ（Ｂ−ＲＡＴ）に分類し得る。２つより多いＲＡＴを伴うシナリオでは、これは、一連の優先ＲＡＴ（おそらくは優先度が異なる）と一連のバックアップＲＡＴに一般化できる。Ｐ−ＲＡＴは原則として第２のメカニズムに従って扱われ、Ｂ−ＲＡＴは原則として第１のメカニズムに従って扱われる。ＵＥは、利用可能であるときには常にＰ−ＲＡＴを優先し、Ｐ−ＲＡＴのカバレッジがないときにのみＢ−ＲＡＴを使用する（例えばキャンプオンする）ように構成される。
【００８６】
第３のメカニズムの第１のステップによれば、ネットワークは、専用シグナリングまたは共通シグナリング（例えばシステム情報）を介して、１つ以上のＣＡ（またはシグナリングされたＣＡに割り当てられたコード／識別子）を含むリストまたはリストのセットを用いてＵＥを構成する。リストは共通でもよい、すなわち、両方のＲＡＴが同じＣＡを利用するか、または、ＬＴＥに対するリストとＮＲに対する別のリスト等、ＲＡＴごとに提供されてもよい。
【００８７】
リストは、ＵＥに割り当てられたＣＡに属するノード／セル内で移動している間にＵＥがＣＡ更新を提供する必要がないように、ＵＥが割り当てられる（両方のＲＡＴをカバーする）１つ以上のＣＡを含み得る。第３のメカニズム内では、この構成はＲＡＴごとに適用され、当該構成はＰ−ＲＡＴとＢ−ＲＡＴで異なる。このために、ＵＥがＰ−ＲＡＴ、例えばＣＡ−ＲＡＴ１において割り当てられたＣＡを離れ、リストにないＣＡに入る場合、それがＢ−ＲＡＴ、すなわちこの例ではＣＡ−ＲＡＴ２のリストにおけるＣＡのカバレッジにいる場合でも、ＣＡ更新を実行する。一方、ＵＥがＢ−ＲＡＴ、この例ではＣＡ−ＲＡＴ２において割り当てられたＣＡを離れ、リストにないＣＡに入る場合（ＵＥはＰ−ＲＡＴにのみキャンプし得るのでこれに気付かないことさえあり得る）、ＣＡ更新を実行しない。上記に定義された用語によれば、そのようなリストはＣＡリストである。このリストは必須であり得る。
【００８８】
リストはまた、ＵＥが登録することを許可されている（１つ以上のＲＡＴに対する）１つ以上のＣＡを含み得る（すなわち、ホワイトリスト）。このリストはオプションであり得る。リストはまた、ＵＥが登録することを許可されていない（１つ以上のＲＡＴに対して）許可されていない１つ以上のＣＡを含み得る（すなわち、上述したようなブラックリスト）。
【００８９】
ここで、第３のメカニズムに従ってＵＥの構成したカバレッジ外の動作は、以下のようになる。
【００９０】
ＵＥはＰ−ＲＡＴのカバレッジを失うと、Ｂ−ＲＡＴにキャンプオンし、それを使用して、Ｐ−ＲＡＴのカバレッジを失ったことをネットワークに報告する。ＵＥはＢ−ＲＡＴのカバレッジを失うと、何もしない。なお、ＵＥは、Ｐ−ＲＡＴ上でのみキャンプしている可能性があるので、Ｂ−ＲＡＴのカバレッジを失っても気付かないかもしれないことに留意されたい。ネットワークは、（Ｂ−ＲＡＴにおけるＵＥの位置に基づき、）（失われた）Ｐ−ＲＡＴに対する新しいＣＡを用いてＵＥを構成してもしなくてもよい。ネットワークはまた、Ｂ−ＲＡＴに対する新しいＣＡを用いてＵＥを構成する機会を利用し得る。すなわち、ネットワークはこれを単一のＲＡＴ ＣＡ更新または複合ＣＡ更新にすること（またはそれらのどれらも）ができる。
【００９１】
ネットワークはまた、専用のシグナリングを介して、または共通のシグナリングを介して（例えば、システム情報）、または両方の組み合わせを使用して、ページング情報を用いてＵＥを構成し得る。この情報は、以下の情報の少なくとも１つを含み得る。すなわち、ＤＲＸ構成（場合によってはページング機会アルゴリズムに対する入力パラメータを含む）、各ＲＡＴについて少なくとも１つのページングチャネル（すなわち、ＵＥは両方のＲＡＴのページングチャネルを監視するように構成される）、および、関連するページング情報である。ネットワークはまた、専用シグナリングまたは共通シグナリング（例えばシステム情報）を介して、ＵＥが適用すべきＣＡメカニズム（すなわち、この実施形態では第２のメカニズム）を用いて、ＵＥを構成し得る。
【００９２】
第３のメカニズムの第２のステップに従って、ＵＥがエリアにおいてデュアルキャンプを実行するとき、少なくともＰ−ＲＡＴにおける関連制御シグナリングを監視し、そのエリアにおける少なくともＰ−ＲＡＴのＣＡＩを読み取る。エリアのＣＡＩは、共通シグナリングを介してネットワークによりシグナリングされる。
【００９３】
第３のメカニズムの第３のステップに従って、ＵＥは少なくともＰ−ＲＡＴのページングチャネルを監視する。この解決策では、ネットワークは、ＵＥがページを受信すべき可能性を最大にするために両方のＲＡＴでＵＥをページングしたいか、ページシグナリングを最小にするためにＰ−ＲＡＴにおいてのみページングするべきかを選択できる。ネットワークのページング動作を構成することはネットワークオペレータの選択であるが、第３のメカニズムに対しては、ネットワークが最初にＰ−ＲＡＴにおいてＵＥをページングし、Ｐ−ＲＡＴにおいてページに対する応答が受信されない場合にのみ、Ｂ−ＲＡＴにおいてページングすることが好ましい。この推奨は、利用可能である限りＵＥがＰ−ＲＡＴにおけるページングを監視するという構成、およびＰ−ＲＡＴが失われた後にＵＥが（上述したように）Ｐ−ＲＡＴカバレッジの損失をネットワークへ報告すべきである場合にＢ−ＲＡＴのみを監視するという状況によって動機付けられ得る。しかしながら、たとえＵＥがＰ−ＲＡＴカバレッジを有していても、例えば 非常に一時的なフェージングディップによりページングメッセージを受信することができない可能性があるので、オペレータは、（配信されるダウンリンクデータの緊急性に応じて）直ちに両方のＲＡＴをページングするようにネットワークを構成することを選択し得る。
【００９４】
第３のメカニズムの第４のステップに従って、ＵＥは構成されたＣＡメカニズムを適用する。この場合、第３のメカニズムは、Ｐ−ＲＡＴにおいて割り当てられたＣＡのいずれとも一致するＣＡが検出されなくなったとき、すなわちＣＡリストに含まれていないＰ−ＲＡＴにおけるＣＡに入ったときに、ＵＥがＣＡ更新を実行すべきであることを示す。ＣＡ更新に応じて、ネットワークは、（ステップにおいて上述したように）新しいＣＡリストまたはリストのセットをＵＥに割り当てるべきである。ＵＥがＰ−ＲＡＴの割り当てられたＣＡを離れることでＣＡ更新がトリガされた場合であっても、ネットワークはＰ−ＲＡＴとＢ−ＲＡＴの両方に対してＵＥに新しいＣＡを割り当て得る。これは、ネットワークがＵＥはＢ−ＲＡＴにおける割り当てられたＣＡを離れたと決定した場合、または、ネットワークがＢ−ＲＡＴにおいて移動するために複数のＣＡを割り当てたが、以前に割り当てられたＣＡがもはや最適でない場合に、好ましい。このＣＡ更新は、両方のＲＡＴに対する組み合わせた更新、すなわち、組み合わせた、ＬＴＥにおけるトラッキングエリア更新およびＮＲにおける対応する更新であり得る。
【００９５】
ＵＥがＰ−ＲＡＴのカバレッジを失うと、Ｂ−ＲＡＴにキャンプオンを開始し、Ｂ−ＲＡＴを使用して、Ｐ−ＲＡＴのカバレッジを失ったことをネットワークに報告する。ＵＥが、Ｂ−ＲＡＴにキャンプオンを開始したときに、ＣＡリストに含まれていないＢ−ＲＡＴ内のＣＡに入ったことを検出した場合、Ｐ−ＲＡＴカバレッジ損失の報告は、Ｂ−ＲＡＴに対するＣＡ更新と組み合わせられる。上述のように、ネットワークは、Ｐ−ＲＡＴの損失の報告を受信することに応じて、ＲＡＴの一方または両方において（またはそれらのどれも）、新しいＣＡを用いてＵＥを構成することができる。Ｐ−ＲＡＴカバレッジの損失の報告がＢ−ＲＡＴに対するＣＡ更新と組み合わされる場合、ネットワークはＵＥをＢ−ＲＡＴに対する新しいＣＡで構成し、また、ＵＥをＰ−ＲＡＴに対する新しいＣＡで構成してもしなくてもよい。
【００９６】
上述の態様は、マルチＲＡＴキャンプの場合にＵＥの態様を監視することに焦点を当てている。別の関連する態様は、ページングに対する応答として、および／またはＵＥがアクセスを開始したときに、両方のＲＡＴにキャンプオンしているＵＥが必要に応じてどのようにシステムにアクセスすべきかである。特に、ＵＥがページングチャネルなどの複数のチャネルを監視するように構成されている場合、ＵＥは、複数のＲＡＴでページを受信したときに応答するように構成することができる。例えば、ＵＥは、より高い優先度のＲＡＴ、最も強い無線状態を有する方、またはその両方で同時に応答するように構成され得る。ＵＥが開始したアクセスについても同様に、ＵＥは、より高い優先度のＲＡＴ、最も強い無線状態を有する方、またはその両方に同時にアクセスするように構成することができる。
【００９７】
更に、第１および第２のＲＡＴとして、ＬＴＥとＮＲとの組み合わせを主なシナリオとして実施形態を説明してきたが、本概念は２つより多いＲＡＴに容易に拡張することができることに留意されたい。
【００９８】
更に、記載された実施形態はマルチＲＡＴキャンプに焦点を当てており、その用語を広く使用していることにも留意されたい。しかしながら、本概念はまた、ＵＥが単一のＲＡＴの複数のキャリア（時にはＲＡＴまたはエアインタフェース変形と呼ばれる）にキャンプオンする場合にも適用可能である。これらの異なるキャリアは、例えば、異なる数秘術を有することができ、あるいはより低い周波数ではマクロセルであり、より高い周波数ではスモールセルとなることができる複数のセル、屋外／屋内またはこれらの他の組み合わせにもなり得る。
【００９９】
上記の各モジュールは、１つ以上のプロセッサ、マイクロプロセッサ、またはメインメモリに記憶された命令を解釈して実行する他の処理ロジック、すなわちメモリモジュール１６、３６１、３６２、および５６を含む処理ユニットによって実装され得る。メインメモリは、それぞれのモジュール／ユニットによる実行のための情報および命令を記憶することができるＲＡＭまたは他の種類の動的記憶装置を含み得る。例えば、図１０に関して上述した無線送受信機モジュール１２、３２１、３２２および対応する処理モジュール１２、３４１、３４２、ならびに送受信機モジュール５２および対応する処理モジュール５４は、処理ユニット／プロセッサによって実現され得る。ＲＯＭは、静的情報および処理装置による使用のための命令を格納することができるＲＯＭデバイスまたは他のタイプの静的記憶デバイスを含み得る。
【０１００】
上述のように、無線アクセスネットワークノード（基地局）３０１および３０２、ならびに端末デバイスおよび（コアまたはアンカー）ネットワークノード５０は、本明細書に記載された、特定の動作またはプロセス（取得、識別、送信、予測、意思決定）を実行し得る。これらの動作は、メインメモリ、ＲＯＭおよび／または記憶装置などのコンピュータ可読媒体に含まれるソフトウェア命令を実行する処理ユニット／プロセッサに応答して実行され得る。コンピュータ可読媒体は、物理的または論理的記憶デバイスとして定義され得る。例えば、論理メモリ装置は、単一の物理メモリ装置内のメモリ、または複数の物理メモリ装置にわたって分散されたメモリを含み得る。メインメモリ、ＲＯＭ、および記憶デバイスのそれぞれは、プログラムコードとしての命令を含むコンピュータ可読媒体を含み得る。ソフトウェア命令は、記憶デバイスなどの他のコンピュータ可読媒体用のメインメモリに、または通信インタフェースを介して他のデバイスから読み込むことができる。
【０１０１】
更に、メインメモリに含まれるソフトウェア命令は、データプロセッサを含む処理ユニット上で実行されると、当該処理ユニットに、本明細書に記載の動作または処理を実行させ得る。あるいは、本明細書に記載のプロセスおよび／または動作を実装するために、ハードワイヤード回路が、ソフトウェア命令と組み合わせてまたはその代わりに使用され得る。したがって、本明細書に記載の実装形態は、ハードウェアとソフトウェアのいかなる特定の組み合わせにも限定されない。
【０１０２】
要素、ユニット、モジュール、ノードおよびシステムを含む本発明の異なる実施形態による物理的実体は、コンピュータプログラムが物理的実体上で実行されるときに以下のステップおよび動作を実行するように、すなわち、データ処理手段に動作を実行させるように、ソフトウェア命令を含むコンピュータプログラムを含むまたは格納し得る。特に、本発明の実施形態はまた、本発明の実施形態による動作／ステップを実行するためのコンピュータプログラム、および上述の方法を実行するためのコンピュータプログラムを格納する任意のコンピュータ可読媒体に関する。
【０１０３】
モジュールという用語が使用される場合、これらの要素がどの程度分散されているか、およびこれらの要素がどのように収集されているかに関して制限はない。すなわち、基地局３０１および３０２ならびに端末装置１０およびネットワークノード５０の構成要素／モジュール／ユニットは、意図する機能を実現するために、異なるソフトウェアおよびハードウェアコンポーネントまたは他のデバイスに分散され得る。意図された機能性を提供するために、複数の異なる要素／モジュールも集められてもよい。例えば、ＵＥ／ノードの要素／モジュール／機能は、バス、処理ユニット、メインメモリ、ＲＯＭ等を含む上記のノードと同様のマイクロプロセッサおよびメモリとによって実現され得る。マイクロプロセッサは、メモリ内の命令として記憶され得る上記の動作が実行されるようにプログラムされ得る。
【０１０４】
更に、装置の要素／モジュール／ユニットは、ハードウェア、ソフトウェア、フィールドプログラマブルゲートアレイ（ＦＰＧＡ）、特定用途向け集積回路（ＡＳＩＣ）、ファームウェアなどで実装され得る。
【０１０５】
本発明の範囲または精神から逸脱することなく、本発明の構成要素および方法、ならびに本発明の構成において様々な修正および変形をなし得ることが当業者には明らかであろう。
【０１０６】
本発明は、すべての態様において限定的ではなく例示的であることを意図している特定の実施形態および実施例に関して説明されてきた。当業者は、ハードウェア、ソフトウェアおよび／またはファームウェアの多くの異なる組み合わせが本発明を実施するのに適していることを理解するであろう。
【０１０７】
本発明の他の実施形態は、本明細書の考察および本明細書に開示された本発明の実施から当業者には明らかであろう。明細書および実施例は例示としてのみ考慮されることを意図しており、ここで、上記実施例において使用される略語は以下に列挙される。この目的のために、本発明の態様は、単一の前述の開示された実施形態または構成のすべての特徴よりも少ないことにあると理解されるべきである。したがって、本発明の真の範囲および精神は特許請求の範囲によって示される。
【０１０８】
本発明は、すべての態様において限定的ではなく例示的であることを意図している特定の実施形態および実施例に関して説明されてきた。当業者は、ハードウェア、ソフトウェアおよび／またはファームウェアの多くの異なる組み合わせが本発明を実施するのに適していることを理解するであろう。
【０１０９】
［略語］
３ＧＰＰ  第３世代パートナーシッププロジェクト
５Ｇ  第５世代
ＡＩ  エアインタフェース
Ｂ−ＲＡＴ  バックアップＲＡＴ
ＣＡ キャンプエリア
ＣＡＩ キャンプエリア識別子
ＣＤＭＡ  符号分割多重アクセス
ＣＮ  コアネットワーク
ＣＰ  制御プレーン
ＤＲＸ  不連続受信
ＥＣＭ  ＥＰＳ接続管理
ｅＮＢ  進化型ノードＢ
ＥＰＳ  進化型パケットシステム
Ｅ−ＵＴＲＡＮ  進化型ＵＴＲＡＮ
ＥＶ−ＤＯ  進化データ最適化
ＧＰＲＳ  一般パケット無線サービス
ＧＳＭ  移動体通信用グローバルシステム
ＩＥ  情報要素
ＬＴＥ  ロングタームエヴォリューション
ＭＡＣ  媒体アクセス制御
ＭｅＮＢ  マスターｅＮＢ
ＭＭＥ  モビリティ管理エンティティ
ＮＡＳ  非アクセス層
ＮＲ  Ｎｅｗ  Ｒａｄｉｏ（標準化される５Ｇ  ＲＡＮに対する３ＧＰＰの名称）
ＮＷ  ネットワーク
ＰＣＩ  物理セル識別情報
ＰＤＣＣＨ  物理ダウンリンク制御チャネル
ＰＤＣＰ  パケットデータコンバージェンスプロトコル
ＰＤＵ  パケットデータユニット
ＰＨＹ  物理レイヤ
Ｐ−ＲＡＴ  優先ＲＡＴ
ＲＡＣＨ  ランダムアクセスチャネル
ＲＡＮ  無線アクセスネットワーク
ＲＡＴ  無線アクセス技術
ＲＬＣ  無線リンク制御
ＲＲＣ  無線リソース制御
Ｓ１＊  ５Ｇに対して進化したＳ１インタフェース。すなわち、５Ｇ  ＲＡＮ（ＮＲまたは進化型Ｅ−ＵＴＲＡＮ）と５Ｇコアネットワークとの間のインタフェース
【図１Ａ】
2019527965.tif 000003
【図１Ｂ】
2019527965.tif 000004
【図２】
2019527965.tif 000005
【図３】
2019527965.tif 000006
【図４】
2019527965.tif 000007
【図５】
2019527965.tif 000008
【図６】
2019527965.tif 000009
【図７】
2019527965.tif 000010
【図８Ａ】
2019527965.tif 000011
【図８Ｂ】
2019527965.tif 000012
【図９】
2019527965.tif 000013
【図１０】
2019527965.tif 000014
【図１１】
2019527965.tif 000015
【図１２】
2019527965.tif 000016
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
異なる無線アクセス技術（ＲＡＴ）で動作する少なくとも第１と第２のタイプの無線アクセスを介して無線デバイス（１０）に対する無線アクセスを提供する無線通信ネットワークにおける方法であって、前記方法は、同時マルチＲＡＴキャンプのためのメカニズムを調整するためのものであり、
少なくとも１つのネットワークノード（５０、３０１、３０２）により、前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を送信すること（Ｓ１１０）と、
前記端末デバイス（１０）により、前記ＣＡのセット（ＣＡ−ＲＡＴ１、ＣＡ−ＲＡＴ２）に基づいて定義されるカバレッジエリアにおいてキャンプを実行すること（Ｓ１２０）と、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイス（１０）により、前記端末デバイス（１０）の地理的位置で前記通信ネットワークを更新すること（Ｓ１３０）を含む、方法。
【請求項２】
請求項１に記載の無線通信ネットワークにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記端末デバイスの地理的位置で前記通信ネットワークを更新すること（Ｓ１３０）は、第３のメカニズムとして、 
ｃ）前記端末デバイス（１０）が、前記第１のキャンプエリアのセット（ＣＡ−ＲＡＴ１）により定義されるカバレッジエリアと異なる新しいカバレッジエリアに入るときに実行され、かつ、
ｄ）前記端末デバイスが、前記第２のキャンプエリアのセット（ＣＡ−ＲＡＴ２）により定義されたカバレッジエリアを離れるが、前記第１のキャンプエリアのセット（ＣＡ−ＲＡＴ１）により定義されたカバレッジエリアに留まるときに実行されない、方法。
【請求項３】
請求項１または２に記載の無線通信ネットワークにおける方法であって、前記指標は、前記第１のキャンプエリアのセット（ＣＡ−ＲＡＴ１）の１つ以上のＣＡを示す、および／または、前記第２のキャンプエリアのセット（ＣＡ−ＲＡＴ２）の１つ以上のＣＡを示すリストまたはリストのセットを含む、方法。 
【請求項４】
請求項１から３のいずれか１項に記載の無線通信ネットワークにおける方法であって、前記端末デバイス（１０）の地理的位置で前記通信ネットワークを更新すること（Ｓ１３０）は、前記第１のＲＡＴおよび／または前記第２のＲＡＴに対する更新である、方法。
【請求項５】
請求項１から４のいずれか１項に記載の無線通信ネットワークにおける方法であって、前記更新に応答して、前記ネットワークノード（５０、３０１、３０２）は、新しい第１のキャンプエリアのセット（ＣＡ−ＲＡＴ１）および／または新しい第２のキャンプエリアのセット（ＣＡ−ＲＡＴ２）を割り当てる（Ｓ１４０）、方法。
【請求項６】
請求項１から５のいずれか１項に記載の無線通信ネットワークにおける方法であって、前記端末デバイス（１０）が前記第１と第２のＲＡＴのうちの一方、特に請求項２に記載の前記優先ＲＡＴのカバレッジを失うときに、
前記第１と前記第２のＲＡＴのうちの他方、特に請求項２に記載の前記バックアップＲＡＴを用いて、ＲＡＴカバレッジの損失を前記通信ノード（５０、３０１、３０２）に報告すること（Ｓ１５０）、または、
前記第１と前記第２のＲＡＴのうちの他方にキャンプすることを継続すること（Ｓ１５５）を更に含む、方法。
【請求項７】
請求項１から６のいずれか１項に記載の無線通信ネットワークにおける方法であって、前記指標に含まれる各ＣＡに優先度指標が提供され、前記優先度は前記端末デバイスが前記ネットワークにアクセスするために選択すべき好ましいＣＡを示し、および／または、前記優先度は前記端末デバイスが前記ネットワークにアクセスするために選択すべき好ましいＲＡＴを示す、方法。
【請求項８】
請求項７に記載の無線通信ネットワークにおける方法であって、前記ＣＡ優先度指標は、ＲＡＴ選好度指標に置き換えら得る、方法。
【請求項９】
請求項１から８のいずれか１項に記載の無線通信ネットワークにおける方法であって、
前記ネットワークノード（５０、３０１、３０２）により、前記端末デバイス（１０）が前記第１と第２のＲＡＴの両方においてページされるか、前記端末デバイスが前記第１と第２のＲＡＴのうちの一方においてページされるかを選択すること（Ｓ１７０）を更に含む、方法。
【請求項１０】
請求項１から９のいずれか１項に記載の無線通信ネットワークにおける方法であって、
前記端末デバイス（１０）により、ページングに対する応答として、および／または前記第１と第２のＲＡＴのうちの一方、特に請求項２に記載の優先ＲＡＴ、または第１と第２のＲＡＴの両方における端末デバイス開始アクセスとして、前記通信ネットワークへアクセスすること（Ｓ１８０）を更に含む、方法。 
【請求項１１】
請求項１から１０のいずれか１項に記載の無線通信ネットワークにおける方法であって、前記端末デバイスに、前記第１、第２、または第３のメカニズムを適用するように前記端末デバイスを構成する前記ネットワークノードから制御命令が提供される、方法。 
【請求項１２】
請求項１１に記載の無線通信ネットワークにおける方法であって、前記制御命令は、  ‐端末デバイスのタイプ、
‐端末デバイスの能力、
‐サービスのタイプ、
‐端末デバイスが属し得る通信ネットワークスライスインスタンス、
‐デュアルコネクティビティおよび／またはキャリアアグリゲーションといったマルチコネクティビティの確立の必要性、
‐端末デバイスのバッテリ条件
‐第１と第２のＲＡＴのカバレッジパターン、重複するカバレッジエリア、および重複するカバレッジエリアの安定性、のうちの少なくとも１つに基づく、方法。
【請求項１３】
異なる無線アクセス技術（ＲＡＴ）で動作する少なくとも第１と第２のタイプの無線アクセスを介してチャネルを監視することが可能な端末デバイスにおける方法であって、前記方法は、同時マルチＲＡＴキャンプのためのメカニズムを調整するためのものであり、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を受信することと、
前記ＣＡのセット（ＣＡ−ＲＡＴ１、ＣＡ−ＲＡＴ２）に基づいて定義されるカバレッジエリアにおいてキャンプを実行することと、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイスの地理的位置で前記通信ネットワークを更新することを含む、方法。
【請求項１４】
請求項１３に記載の端末デバイスにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記端末デバイスの地理的位置で前記通信ネットワークを更新することは、第３のメカニズムとして、 
ｃ）前記端末デバイスが、前記第１のキャンプエリアのセット（ＣＡ−ＲＡＴ１）により定義されるカバレッジエリアと異なる新しいカバレッジエリアに入るときに実行され、かつ、
ｄ）前記端末デバイスが前記第２のキャンプエリアのセット（ＣＡ−ＲＡＴ２）により定義されたカバレッジエリアを離れるが、前記第１のキャンプエリアのセット（ＣＡ−ＲＡＴ１）により定義されたカバレッジエリアに留まるときに実行されない、方法。
【請求項１５】
請求項１３または１４に記載の通信デバイスにおける方法であって、前記端末デバイスの地理的位置で前記通信ネットワークを更新することは、前記第１のＲＡＴおよび／または前記第２のＲＡＴに対する更新である、方法。 
【請求項１６】
請求項１３から１５のいずれか１項に記載の端末デバイスにおける方法であって、前記端末デバイスが前記第１と第２のＲＡＴのうちの一方、特に請求項１４に記載の前記優先ＲＡＴのカバレッジを失うときに、
前記第１と前記第２のＲＡＴのうちの他方、特に請求項１４に記載の前記バックアップＲＡＴを用いて、ＲＡＴカバレッジの損失を前記通信ノードに報告すること、または、
前記第１と前記第２のＲＡＴのうちの他方にキャンプすることを継続することを更に含む、方法。
【請求項１７】
請求項１３から１６のいずれか１項に記載の端末デバイスにおけ方法であって、前記指標に含まれる各ＣＡに優先度指標が提供され、前記優先度は前記端末デバイスが前記ネットワークにアクセスするために選択すべき好ましいＣＡを示し、および／または前記優先度は前記端末デバイスが前記ネットワークにアクセスするために選択すべき好ましいＲＡＴを示す、方法。
【請求項１８】
請求項１７に記載の、端末デバイスにおける方法であって、前記ＣＡ優先度指標は、ＲＡＴ選好度指標に置き換えられ得る、方法。
【請求項１９】
請求項１３から１８のいずれか１項に記載の端末デバイスにおける方法であって、
前記第１と第２のＲＡＴの両方、または、前記第１と第２のＲＡＴのうちの一方におけるページングチャネルを監視することを更に含む、方法。
【請求項２０】
請求項１３から１９のいずれか１項に記載の端末デバイスにおける方法であって、
ページングに対する応答として、および／または前記第１と第２のＲＡＴのうちの一方、、特に請求項１４に記載の優先ＲＡＴ、または第１と第２のＲＡＴの両方における端末デバイス開始アクセスとして前記通信ネットワークへアクセスすることを更に含む、方法。 
【請求項２１】
請求項１３から２０のいずれか１項に記載の端末デバイスにおける方法であって、前記第１、第２、または第３のメカニズムを適用するように前記端末デバイスを構成する制御命令を受信することを更に含む、方法。 
【請求項２２】
異なる無線アクセス技術（ＲＡＴ）で動作する少なくとも第１および／または第２のタイプの無線アクセスを介して１つ以上のチャネルを提供するネットワークノードにおける方法であって、前記方法は、同時マルチＲＡＴキャンプのためのメカニズムを調整するためのものであり、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を、端末デバイスへ送信することと、
ａ）前記端末デバイスが、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るときに、前記端末デバイスの地理的位置を更新する、または、
ｂ）前記端末デバイスが、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、前記端末デバイスの地理的位置を更新する、
ために、ＣＡ更新メカニズムを適用するように前記端末デバイスを構成するための制御命令を送信することを含む、方法。 
【請求項２３】
請求項２２に記載のネットワークノードにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記制御命令は、 
ｃ）前記端末デバイスが、前記第１のキャンプエリアのセット（ＣＡ−ＲＡＴ１）により定義されるカバレッジエリアと異なる新しいカバレッジエリアに入るときに、前記端末デバイスの地理的位置を更新し、
ｄ）前記端末デバイスが、前記第２のキャンプエリアのセット（ＣＡ−ＲＡＴ２）により定義された前記カバレッジエリアを離れるが、前記第１のキャンプエリアのセット（ＣＡ−ＲＡＴ１）により定義されたカバレッジエリアに留まるときに、前記端末デバイスの地理的位置を更新しないために、
第３のＣＡ更新メカニズムを適用するように更に前記端末デバイスを構成する、方法。
【請求項２４】
請求項２２または２３に記載のネットワークノードにおける方法であって、前記更新に応じて、前記ネットワークノードは、新しい第１のキャンプエリアのセット（ＣＡ−ＲＡＴ１）および／または新しい第２のキャンプエリアのセット（ＣＡ−ＲＡＴ２）を割り当てる、方法。
【請求項２５】
請求項２２から２４のいずれか１項に記載のネットワークノードにおける方法であって、
前記端末デバイスが前記第１と第２のＲＡＴの両方においてページされるか、前記端末デバイスが前記第１と第２のＲＡＴのうちの一方においてページされるかを選択することを更に含む、方法。
【請求項２６】
請求項１３から２１のいずれか１項に記載の方法を実行するように構成された端末デバイス（１０）。
【請求項２７】
プロセッサ（１２）、無線送受信器（１４）、およびメモリ（１６）を有し、前記メモリ（１６）はプロセッサ（１２）によって実行可能な命令を含み、それにより前記端末デバイス（１０）が請求項１３から２０のいずれか１項に記載の方法を実行するように動作する、端末デバイス（１０）。
【請求項２８】
同時マルチＲＡＴキャンプのためのメカニズムを調整するために、異なる無線アクセス技術で動作する少なくとも第１および第２のタイプの無線アクセスを介してアクセス可能な端末デバイス（１０）であって。
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を受信するように構成された無線受信器モジュール（１４）と、
ＣＡの前記セット（ＣＡ−ＲＡＴ１、ＣＡ−ＲＡＴ２）に基づいて定義されるカバレッジエリアにおいてキャンプを実行し、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイスの地理的位置で前記通信ネットワークを更新するように前記無線受信器モジュール（１４）を制御するように構成された処理モジュール（１２）を含む、端末デバイス。
【請求項２９】
請求項２２から２５のいずれか１項に記載の方法を実行するように構成されたネットワークノード（５０、３０１、３０２）。
【請求項３０】
送受信器（５２、３２１、３２２）、プロセッサ（５４、３４１、３４２）、およびメモリ（５６、３６１、３６２）を含むネットワークノード（５０、３０１、３０２）であって、前記メモリ（５６、３６１、３６２）は前記プロセッサ（５４、３４１、３４２）により実行可能な命令を含み、 これにより、前記ネットワークノード（５０、３０１、３０２）が、請求項２２から２５のいずれか１項に記載の方法を実行するように動作可能である、ネットワークノード。
【請求項３１】
同時マルチＲＡＴキャンプのためのメカニズムを調整するために、異なる無線アクセス技術（ＲＡＴ）で動作する少なくとも第１と第２のタイプの無線アクセスを介して無線デバイス（１０）に対する無線アクセスを提供する、無線通信ネットワークにおけるネットワークノード（５０、３０１、３０２）であって、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を、端末デバイス（１０）に送信するように構成された送受信器モジュール（３２１、３２２、５２）と、
ａ）前記端末デバイスが、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るときに、前記端末デバイスの地理的位置を更新する、または、
ｂ）前記端末デバイスが、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、前記端末デバイスの地理的位置を更新する、
ためにＣＡ更新メカズムを適用するように前記端末デバイスを構成するための制御命令を設定するように構成された処理モジュール（５４、３４１、３４２）を有し、
前記処理モジュール（５４、３４１、３４２）は、送受信器モジュール（３２１、３２２、５２）と共に動作し、前記端末デバイス（１０）へ前記制御命令を送信する、ネットワークノード。
【請求項３２】
１つまたは複数のプロセッサ上で実行されると、１つまたは複数のプロセッサに請求項１３から２１のいずれか１項に記載の方法を実行させる命令を含むコンピュータプログラムを記憶したコンピュータ可読記憶媒体。
【請求項３３】
少なくとも１つのプロセッサ上で実行されると、少なくとも１つのプロセッサに請求項２２から２５のいずれかに記載の方法を実行させる命令を含むコンピュータプログラム。
【請求項３４】
請求項３２または３３に記載のコンピュータプログラムを含むキャリアであって、電気信号、光信号、無線信号、またはコンピュータ可読記憶媒体のうちの１つである、キャリア。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
異なる無線アクセス技術（ＲＡＴ）で動作する少なくとも第１と第２のタイプの無線アクセスを介して無線デバイス（１０）に対する無線アクセスを提供する無線通信ネットワークにおける方法であって、前記方法は、同時マルチＲＡＴキャンプのためのメカニズムを調整するためのものであり、
少なくとも１つのネットワークノード（５０、３０１、３０２）により、前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を送信すること（Ｓ１１０）と、
前記端末デバイス（１０）により、前記ＣＡのセット（ＣＡ−ＲＡＴ１、ＣＡ−ＲＡＴ２）に基づいて定義されるカバレッジエリアにおいてキャンプを実行すること（Ｓ１２０）と、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイス（１０）により、前記端末デバイス（１０）の地理的位置で前記通信ネットワークを更新すること（Ｓ１３０）を含む、方法。
【請求項２】
請求項１に記載の無線通信ネットワークにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記端末デバイスの地理的位置で前記通信ネットワークを更新すること（Ｓ１３０）は、第３のメカニズムとして、 
ｃ）前記端末デバイス（１０）が、前記第１のキャンプエリアのセット（ＣＡ−ＲＡＴ１）により定義されるカバレッジエリアと異なる新しいカバレッジエリアに入るときに実行され、かつ、
ｄ）前記端末デバイスが、前記第２のキャンプエリアのセット（ＣＡ−ＲＡＴ２）により定義されたカバレッジエリアを離れるが、前記第１のキャンプエリアのセット（ＣＡ−ＲＡＴ１）により定義されたカバレッジエリアに留まるときに実行されない、方法。
【請求項３】
請求項１または２に記載の無線通信ネットワークにおける方法であって、前記指標は、前記第１のキャンプエリアのセット（ＣＡ−ＲＡＴ１）の１つ以上のＣＡを示す、および／または、前記第２のキャンプエリアのセット（ＣＡ−ＲＡＴ２）の１つ以上のＣＡを示すリストまたはリストのセットを含む、方法。 
【請求項４】
請求項１から３のいずれか１項に記載の無線通信ネットワークにおける方法であって、前記端末デバイス（１０）の地理的位置で前記通信ネットワークを更新すること（Ｓ１３０）は、前記第１のＲＡＴおよび／または前記第２のＲＡＴに対する更新である、方法。
【請求項５】
請求項１から４のいずれか１項に記載の無線通信ネットワークにおける方法であって、前記更新に応答して、前記ネットワークノード（５０、３０１、３０２）は、新しい第１のキャンプエリアのセット（ＣＡ−ＲＡＴ１）および／または新しい第２のキャンプエリアのセット（ＣＡ−ＲＡＴ２）を割り当てる（Ｓ１４０）、方法。
【請求項６】
請求項１から５のいずれか１項に記載の無線通信ネットワークにおける方法であって、
前記ネットワークノード（５０、３０１、３０２）により、前記端末デバイス（１０）が前記第１と第２のＲＡＴの両方においてページされるか、前記端末デバイスが前記第１と第２のＲＡＴのうちの一方においてページされるかを選択すること（Ｓ１７０）を更に含む、方法。
【請求項７】
異なる無線アクセス技術（ＲＡＴ）で動作する少なくとも第１と第２のタイプの無線アクセスを介してチャネルを監視することが可能な端末デバイスにおける方法であって、前記方法は、同時マルチＲＡＴキャンプのためのメカニズムを調整するためのものであり、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を受信することと、
前記ＣＡのセット（ＣＡ−ＲＡＴ１、ＣＡ−ＲＡＴ２）に基づいて定義されるカバレッジエリアにおいてキャンプを実行することと、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイスの地理的位置で前記通信ネットワークを更新することを含む、方法。
【請求項８】
請求項７に記載の端末デバイスにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記端末デバイスの地理的位置で前記通信ネットワークを更新することは、第３のメカニズムとして、 
ｃ）前記端末デバイスが、前記第１のキャンプエリアのセット（ＣＡ−ＲＡＴ１）により定義されるカバレッジエリアと異なる新しいカバレッジエリアに入るときに実行され、かつ、
ｄ）前記端末デバイスが前記第２のキャンプエリアのセット（ＣＡ−ＲＡＴ２）により定義されたカバレッジエリアを離れるが、前記第１のキャンプエリアのセット（ＣＡ−ＲＡＴ１）により定義されたカバレッジエリアに留まるときに実行されない、方法。
【請求項９】
請求項７または８に記載の通信デバイスにおける方法であって、前記端末デバイスの地理的位置で前記通信ネットワークを更新することは、前記第１のＲＡＴおよび／または前記第２のＲＡＴに対する更新である、方法。 
【請求項１０】
請求項７から９のいずれか１項に記載の端末デバイスにおける方法であって、
前記第１と第２のＲＡＴの両方、または、前記第１と第２のＲＡＴのうちの一方におけるページングチャネルを監視することを更に含む、方法。
【請求項１１】
異なる無線アクセス技術（ＲＡＴ）で動作する少なくとも第１および／または第２のタイプの無線アクセスを介して１つ以上のチャネルを提供するネットワークノードにおける方法であって、前記方法は、同時マルチＲＡＴキャンプのためのメカニズムを調整するためのものであり、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を、端末デバイスへ送信することと、
ａ）前記端末デバイスが、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るときに、前記端末デバイスの地理的位置を更新する、または、
ｂ）前記端末デバイスが、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、前記端末デバイスの地理的位置を更新する、
ために、ＣＡ更新メカニズムを適用するように前記端末デバイスを構成するための制御命令を送信することを含む、方法。 
【請求項１２】
請求項１１に記載のネットワークノードにおける方法であって、前記第１のキャンプエリアのセット（ＣＡ−ＲＡＴ１）に関連付けられた前記第１のＲＡＴは、優先ＲＡＴであり、前記第２のキャンプエリアのセット（ＣＡ−ＲＡＴ２）に関連付けられた前記第２のＲＡＴはバックアップＲＡＴであり、前記制御命令は、 
ｃ）前記端末デバイスが、前記第１のキャンプエリアのセット（ＣＡ−ＲＡＴ１）により定義されるカバレッジエリアと異なる新しいカバレッジエリアに入るときに、前記端末デバイスの地理的位置を更新し、
ｄ）前記端末デバイスが、前記第２のキャンプエリアのセット（ＣＡ−ＲＡＴ２）により定義された前記カバレッジエリアを離れるが、前記第１のキャンプエリアのセット（ＣＡ−ＲＡＴ１）により定義されたカバレッジエリアに留まるときに、前記端末デバイスの地理的位置を更新しないために、
第３のＣＡ更新メカニズムを適用するように更に前記端末デバイスを構成する、方法。
【請求項１３】
請求項１１または１２に記載のネットワークノードにおける方法であって、前記更新に応じて、前記ネットワークノードは、新しい第１のキャンプエリアのセット（ＣＡ−ＲＡＴ１）および／または新しい第２のキャンプエリアのセット（ＣＡ−ＲＡＴ２）を割り当てる、方法。
【請求項１４】
請求項１１から１３のいずれか１項に記載のネットワークノードにおける方法であって、
前記端末デバイスが前記第１と第２のＲＡＴの両方においてページされるか、前記端末デバイスが前記第１と第２のＲＡＴのうちの一方においてページされるかを選択することを更に含む、方法。
【請求項１５】
請求項７から１０のいずれか１項に記載の方法を実行するように構成された端末デバイス（１０）。
【請求項１６】
同時マルチＲＡＴキャンプのためのメカニズムを調整するために、異なる無線アクセス技術で動作する少なくとも第１および第２のタイプの無線アクセスを介してアクセス可能な端末デバイス（１０）であって。
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を受信するように構成された無線受信器モジュール（１４）と、
ＣＡの前記セット（ＣＡ−ＲＡＴ１、ＣＡ−ＲＡＴ２）に基づいて定義されるカバレッジエリアにおいてキャンプを実行し、
ａ）前記端末デバイス（１０）が、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るとき、または、
ｂ）前記端末デバイス（１０）が、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、
前記端末デバイスの地理的位置で前記通信ネットワークを更新するように前記無線受信器モジュール（１４）を制御するように構成された処理モジュール（１２）を含む、端末デバイス。
【請求項１７】
請求項１１から１４のいずれか１項に記載の方法を実行するように構成されたネットワークノード（５０、３０１、３０２）。
【請求項１８】
同時マルチＲＡＴキャンプのためのメカニズムを調整するために、異なる無線アクセス技術（ＲＡＴ）で動作する少なくとも第１と第２のタイプの無線アクセスを介して無線デバイス（１０）に対する無線アクセスを提供する、無線通信ネットワークにおけるネットワークノード（５０、３０１、３０２）であって、
前記第１のＲＡＴに関連付けられた第１のキャンプエリアのセット（ＣＡ−ＲＡＴ１）と前記第２のＲＡＴに関連付けられた第２のキャンプエリアのセット（ＣＡ−ＲＡＴ２）を含むキャンプエリア（ＣＡ）のセットに関する指標を、端末デバイス（１０）に送信するように構成された送受信器モジュール（３２１、３２２、５２）と、
ａ）前記端末デバイスが、第１のメカニズムとして、前記第１と第２のＣＡのセット（ＣＡ−ＲＡＴ１、ＣＡ−ＲＡＴ２）の両方により定義されるカバレッジエリアと異なる新しいカバレッジエリアに入るときに、前記端末デバイスの地理的位置を更新する、または、
ｂ）前記端末デバイスが、第２のメカニズムとして、前記第１と第２のＣＡのセット（ＣＡ−ＲＡＴ１、ＣＡ−ＲＡＴ２）のうちの一方により定義されるカバレッジエリアと異なる新しいカバレッジエリアに入るときに、前記端末デバイスの地理的位置を更新する、
ためにＣＡ更新メカズムを適用するように前記端末デバイスを構成するための制御命令を設定するように構成された処理モジュール（５４、３４１、３４２）を有し、
前記処理モジュール（５４、３４１、３４２）は、送受信器モジュール（３２１、３２２、５２）と共に動作し、前記端末デバイス（１０）へ前記制御命令を送信する、ネットワークノード。
【請求項１９】
１つまたは複数のプロセッサ上で実行されると、１つまたは複数のプロセッサに請求項７から１０のいずれか１項に記載の方法を実行させる命令を含むコンピュータプログラムを記憶したコンピュータ可読記憶媒体。
【請求項２０】
少なくとも１つのプロセッサ上で実行されると、少なくとも１つのプロセッサに請求項１１から１４のいずれかに記載の方法を実行させる命令を含むコンピュータプログラム。
【国際調査報告】
2019527965.tif 000017
2019527965.tif 000018
2019527965.tif 000019
2019527965.tif 000020